(57)【特許請求の範囲】
【請求項１】
中央部に室内空気吸込口を備え周縁部に空調空気の吹出口を備えた天井埋込型空気調和装置の吹出口の下流側において天井に取付けられるように構成され、空気調和装置の吹出口から吹出した空調空気流を天井から遠ざかる向きに転向させるべく、該空気流に対して実質的に剛性の転向誘導部を備えた天井パネル構造体であって、
空気調和装置の外側において天井に取付けられるように構成され、天井に対面する側とは反対側に係合部を備えたベース構造体であって、空気調和装置の側縁に沿って延在するように天井面に一の主面で取付可能な直線状ベース部材を含むものと、
ベース構造体の係合部に被係合部で係合されて該ベース構造体に固定されるように構成されたカバー構造体であって、空気調和装置の吹出口から吹出した空調空気流を天井から遠ざかる向きに転向させるべく該空気流に対して実質的に剛性の転向誘導部を備え直線状ベース部材に係合される直線状カバー部材を含むものとを有し、
直線状ベース部材の係合部が、該直線状ベース部材の幅方向に離れた箇所で且つ相互に向合う側とは反対側に開口した一対の係合凹部を備え、一方の凹部のうち天井面に近い方の側壁が他方の凹部から遠いところほど天井面に近接するように傾斜した傾斜面を有し、
直線状カバー部材の被係合部が、直線状ベース部材の一対の係合凹部と係合する一対の被係合突起部を、該直線状カバー部材の幅方向に離れた箇所において、相互に向合う側に弾性的に近接・離間可能に備え、該突起部が前記一方の凹部の天井面に近い側の壁部の傾斜面に沿って可動な案内部を有する
天井パネル構造体。
【請求項２】
直線状カバー部材が、ほぼＵ字状の横断面形状を有し、且つ一対の被係合突起部のうち直線状ベース部材の一方の凹部に係合する前記突起部が「Ｕ」の一方の脚部に形成され、転向誘導部が「Ｕ」の他方の脚部に形成されている請求項１に記載の天井パネル構造体。
【請求項３】
直線状ベース部材の前記一方の凹部を形成する側壁のうち天井面から遠い方の側壁が、天井面に対面する側とは反対側に他方の凹部から遠いところほど天井面に近接するように傾斜している請求項２に記載の天井パネル構造体。
【請求項４】
直線状ベース部材の一対の係合凹部の夫々が該ベース部材の延在方向に沿って該延在方向の実質的に全長にわたって連続的に延びている請求項１から３までのいずれか一つの項に記載の天井パネル構造体。
【請求項５】
前記一方の凹部が一対の凹部のうち空気調和装置の吹出口から遠い方の凹部である請求項１から４までのいずれか一つの項に記載の天井パネル構造体。
【請求項６】
直線状ベース部材が、前記一の主面とは反対側において、空気調和装置のうち吹出口のある側縁に近い幅方向端部に前記一の主面に略平行な空調空気流案内面を備えると共に、幅方向に関して該案内面よりも空気調和装置の側縁から遠い部位に前記他方の係合部を備え、
直線状カバー部材が、その幅方向内側端部に、直線状ベース部材の前記他方の係合部と係合する前記他方の被係合部を有し、該他方の被係合部のうち空気調和装置の吹出口に向いた部分が、直線状ベース部材の案内面に沿って流れた空調空気流の流速を低減させる抵抗として働く抵抗付与突起部になっている請求項５に記載の天井パネル構造体。
【請求項７】
直線状カバー部材が前記他方の被係合部の近傍において、天井面とほぼ平行に拡がった板状部を備える請求項６に記載の天井パネル構造体。
【請求項８】
直線状ベース部材及び直線状カバー部材がプラスチック材料の押出し成形により形成されるように構成されている請求項１から７までのいずれか一つの項に記載の天井パネル構造体。
【請求項９】
直線状パネル構造体の直線状ベース部材は、長さ及び幅が調整可能であり、直線状ベース部材は、長さが調整可能であるる請求項１から８までのいずれか一つの項に記載の天井パネル構造体。
【請求項１０】
前記ベース構造体が、空気調和装置のコーナー部の外側に位置するように直線状ベース部材の端部に隣接するところにおいて天井面に一の主面で取付可能なコーナーベース部材を含み、
前記カバー構造体が、直線状カバー部材の端部に隣接するところにおいてコーナーベース部材に係合されるコーナーカバー部材を含む
請求項１から９までのいずれか一つの項に記載の天井パネル構造体。
【請求項１１】
コーナーベース部材が、直線状ベース部材及び直線状カバー部材の端部に被さって係合されるように構成されている請求項１０に記載の天井パネル構造体。
【請求項１２】
コーナーベース部材が、空気調和装置の吹出口から吹出した空調空気流を天井から遠ざかる向きに転向させるべく該空気流に対して実質的に剛性の転向誘導部の一部を有し、
コーナーカバー部材が、ほぼＵ字状の横断面を備え、「Ｕ」の一方の脚部の内向きの被係合部でコーナーベース部材の外側壁の外向きの係合部に係合され、「Ｕ」の底部の内面でコーナーベース部材の転向誘導部の延在端に当接している請求項１０又は１１に記載の天井パネル構造体。
【請求項１３】
コーナーベース部材は、該コーナーベース部材の表面に沿って流れる空調空気流の流速を低減させる抵抗として働く抵抗付与突起部を転向誘導部の上流側に有する請求項１２に記載の天井パネル構造体。
【請求項１４】
直線状ベース部材の係合部と直線状カバー部材の被係合部とが相互に係合した状態において、直線状ベース構造体及び直線状カバー構造体の長手方向端部のうちの少なくとも一方に被せられる端部キャップを更に有する請求項１から９までのいずれか一つの項に記載の天井パネル構造体。
【請求項１５】
中央部に室内空気吸込口を備え周縁部に空調空気の吹出口を備えた天井埋込型空気調和装置の吹出口の下流側において天井に取付けられるように構成され、空気調和装置の吹出口から吹出した空調空気流を天井から遠ざかる向きに転向させるべく、該空気流に対して実質的に剛性の転向誘導部を備えた天井パネル構造体であって、
空気調和装置の直線状側縁の各々に沿って延在するように天井面に一の主面で取付可能で延在方向の長さ及び幅が調整可能なベース部材であって、前記一の主面とは反対側に係合部を備えたものと、前記ベース部材の係合部に被係合部で係合されて該ベース部材に固定されるように構成され長さ調整が可能なカバー部材であって、空気調和装置の吹出口から吹出した空調空気流を天井から遠ざかる向きに転向させるべく、該空気流に対して実質的に剛性の転向誘導部を備えたものとを有し、直線状ベース部材の係合部が該直線状ベース部材の幅方向に離れた箇所において相互に向合う側とは反対側に開口し該直線状ベース部材の延在方向に延在した一対の係合凹部を備え一方の凹部のうち天井面に近い方の側壁が他方の凹部から遠いところほど天井面に近接するように傾斜し、直線状カバー部材の被係合部が、直線状ベース部材の一対の係合凹部と係合する一対の被係合突起部を、該直線状カバー部材の幅方向に離れた箇所において、相互に向合う状態で備え、該被係合突起部が前記一方の凹部の天井面に近い側の壁部の傾斜面に沿って可動な案内部を有するた直線状パネル構造体、及び
該直線状パネル構造体の隣接端部間に位置し該直線状パネル構造体の隣接端部に係合されるコーナーパネル構造体
を具備する天井パネル構造体。
【請求項１６】
請求項１から１５までのいずれか一つの項に記載の天井パネル構造体であって、天井パネル構造体が天井埋込型空気調和装置の代わりに空調空気吹出口のみを備えた空調空気吹出装置の空調空気吹出口の下流側において天井に取付けられるように構成されている天井パネル構造体。
【発明の詳細な説明】
【０００１】
【発明の属する技術分野】
本発明は、天井埋込型空気調和装置（以下では、「天井埋込型空調装置」ともいう）等の吹出口から吹出される空調空気による天井の汚れを抑制するための技術に係る。
【０００２】
【従来の技術】
天井埋込型空調装置は、該装置の底部の中央部に室内空気吸込口を備え周縁部に空調空気の吹出口を備え、該空調装置の底部の中央部にある室内空気吸込口から室内空気を吸込んで、熱交換器で暖めたり冷やしたりした後、該底部の周縁部にある吹出口から空調空気として吹出す。
【０００３】
この空調空気は、室内の広い範囲に広がるようにほぼ天井面に沿う方向に吹出されるから天井面に沿って流れ易く、該空気自体の汚れ又は該空調空気が噴出される際巻きこむ室内空気の汚れに起因して、吹出口の近くの天井面を汚す。空調装置を長期間使用していると、この汚れは、無視し難い程見苦しいものになる。
【０００４】
このような問題に対処することを目的として、吹出口における空調空気流の向きを変えるべく室内空気の汚れ具合や冷暖房に応じて吹出通路内で且つ吹出口の近傍にある風向板の傾きを調整すること（例えば、特開平８−１００９４２号公報）、天井面に沿った流れを形成しやすい吹出口の長手方向両端近傍における吹出の向きや開口の大きさを変えること（例えば、特開平７−３２４８０２号公報、特開平８−３１３０４２号公報、特開平９−２２２２３７号公報）は提案されている。
【０００５】
これらはサイズに実際上制限のある空調装置の外枠すなわちフレームの一部をなすか該フレームに取付けられた吹出口において空調空気流の流れを直接規制・制御しようとするものであるけれども、流速・流量の大きい吹出口において流れの全体を直接制御しようとしても、空調空気流を天井面に向かわないようにしようとすると空調空気流が室内に十分には拡がらなくなる虞れがあるなど必ずしも所期の効果を期待し難い虞れがあるだけでなく、流速・流量自体が変わると調整の変更を要する虞れもある。
【０００６】
なお、特開平８−９４１６０号公報には、空気調和装置の吹出口から吹出した空調空気流を天井から遠ざかる向きに転向させる働きをする段差や突起を空調装置の外枠をなす化粧板に形成することが開示され、実開昭６２−１２０１５１号に対応する実願昭６１−８５９５号のマイクロフィルムには、同様な働きをする断面「く」の字状の吹出ガイドを空調装置の外枠をなす化粧板に設けることが開示されているけれども、これらの技術も同様な問題が残る虞れがある。
【０００７】
また、上述の技術は、既存の天井埋込型空調装置の使用現場における天井面の汚れの問題を解決するものではない。
【０００８】
なお、天井面のうち汚れが生じやすい領域に、鈍角に折り曲げた透明プラスチックフィルムを取付ける試みもなされているけれども、吹出空気の流速が小さいときにはまわり込みによってその外側の天井面が汚れる虞れがあり、流速が大きいときは吹出空気流によって断面「へ」の字状の斜めに垂下った転向部が空気流に押されて逃げるように変形される虞れがある。
【０００９】
一方、天井で開口した空調ダクトの該周縁に円弧状湾曲部を形成して、天井面が汚れるのを抑制しようとすることも提案されている（実開平７−１２８４７号公報）けれども、この場合にも、上述の従来の天井埋込型空気調和装置の場合と同様な問題がある。なお、空調ダクトの場合、吸込口がなく開口の全体が吹出口になっているので、吹出口から噴出された空調空気流の挙動は、中央に吸込口を備え周縁に吹出口を備えた空調装置の場合とは異なる。
【００１０】
これらの問題を解決するために、既存の天井埋込型空調装置に対しても適用可能で且つ天井面が汚れるのを最小限に抑えるべく、本発明者は、中央部に室内空気吸込口を備え周縁部に空調空気の吹出口を備えた天井埋込型空気調和装置の吹出口の下流側において天井に取付けられるように構成され、空調装置の吹出口から吹出した空調空気流を天井面から遠ざかる向きに転向させることを目的として空調装置の吹出口から吹出した空調空気流の一部を室内空気吸込口に戻すように空調空気流を転向させるべく、該空気流に対して実質的に剛性の転向誘導部を備えた天井パネル構造体であって、空気調和装置の外側において天井に取付けられるように構成され、天井に対面する側とは反対側に係合部を備えた少なくとも一つのベース部材であって、空気調和装置の少なくとも一つの側縁に沿って延在するように天井面に一の主面で取付可能な直線状ベース部材を含むものと、前記少なくとも一つのベース部材の係合部に被係合部で係合されて該ベース部材に固定されるように構成されたカバー部材であって、直線状ベース部材に係合され長さの調整可能な直線状カバー部材を含むものとを有する天井パネル構造体を、特願２０００−１８７１４５において、提案した。この天井パネル構造体の基本思想及び空気流の転向等のための形状等の大半は、そのまま、この発明の基礎となるか又はこの発明においても適用可能なものである。
【００１１】
【発明が解決しようとする課題】
特願２０００−１８７１４５に記載の発明の基本思想に基づいて、発明者は、種々の形態の天井パネル構造体を試作し試用してきた。この試作・試用の過程で、発明者は、天井面が必ずしも完全な平面ではなくて相当程度のうねりがあることが少なくないこと、及び天井パネル構造体の取付け位置を当初の取付け位置からずらすような場合にベース部材に対するカバー部材の着脱が不自然な姿勢でも容易であること等が適切な位置への天井パネル構造体の取付けのために望まれることに、気づいた。
【００１２】
換言すれば、特願２０００−１８７１４５において、当該発明を具現化した実施例として記載した形態の天井パネル構造体では、天井のうねりの影響を受け易かったりベース部材に対するカバー部材の着脱が必ずしも容易でなかったりする面があり、特願２０００−１８７１４５の基本思想に基づきつつも、これらの点で実施例に記載の天井パネル構造体（天井面にほぼ直角な方向に延在した板状体の延在端近傍に係合部や被係合部を備える）を改良することが望まれることが、分かった。
【００１３】
本発明は、前記諸点に鑑みなされたものであって、その第一の目的は、天井面がある程度うねっていても、取付けが容易な天井パネル構造体を提供することにある。
【００１４】
本発明の第二の目的は、ベース部材に対するカバー部材の着脱が容易な天井パネル構造体を提供することにある。
【００１５】
【課題を解決するための手段】
本発明の天井パネル構造体は、前記第一の目的を達成すべく、中央部に室内空気吸込口を備え周縁部に空調空気の吹出口を備えた天井埋込型空気調和装置の吹出口の下流側において天井に取付けられるように構成され、空気調和装置の吹出口から吹出した空調空気流を天井から遠ざかる向きに転向させるべく、該空気流に対して実質的に剛性の転向誘導部を備えた天井パネル構造体であって、空気調和装置の外側において天井に取付けられるように構成され、天井に対面する側とは反対側に係合部を備えたベース構造体であって、空気調和装置の側縁に沿って延在するように天井面に一の主面で取付可能な直線状ベース部材を含むものと、ベース構造体の係合部に被係合部で係合されて該ベース構造体に固定されるように構成されたカバー構造体であって、空気調和装置の吹出口から吹出した空調空気流を天井から遠ざかる向きに転向させるべく該空気流に対して実質的に剛性の転向誘導部を備え直線状ベース部材に係合される直線状カバー部材を含むものとを有し、直線状ベース部材の係合部が、該直線状ベース部材の幅方向に離れた箇所で且つ相互に向合う側とは反対側に開口した一対の係合凹部を備え、一方の凹部のうち天井面に近い方の側壁が他方の凹部から遠いところほど天井面に近接するように傾斜した傾斜面を有し、直線状カバー部材の被係合部が、直線状ベース部材の一対の係合凹部と係合する一対の被係合突起部を、該直線状カバー部材の幅方向に離れた箇所において、相互に向合う側に弾性的に近接・離間可能に備え、該突起部が前記一方の凹部の天井面に近い側の壁部の傾斜面に沿って可動な案内部を有する。
【００１６】
本発明の天井パネル構造体では、「空気調和装置の外側において天井に取付けられるように構成され、空調装置の吹出口から吹出した空調空気流を天井（面）から遠ざかる向きに転向させるべく、該空気流に対して実質的に剛性の転向誘導部を備えている」ので、空気調和装置の外側において天井の所定位置に取付けるだけで、転向誘導部によって空調装置の吹出口から吹出した空調空気流を天井面から遠ざかる向きに転向させ、空調空気の吹出口から吹出した空調空気が天井面にぶつかったり天井面に沿って拡がったりするのを最小限に抑制し得るので、空調空気に含まれる固体又は液体等の微粒子等により天井面が汚れるのを最小限に抑え得る。ここで、転向誘導部が空気流に対して実質的に剛性であるから、空調空気の流れが比較的強い場合でも、転向誘導部は、空調空気流を所定の向きに転向させ得る。また、天井パネル構造体は、空調装置の吹出口からある程度離れて室内に開いた空間の天井面近傍に位置するので、空調空気流は天井パネル構造体の転向誘導部に当たるまでにある程度拡がり且つ当たった際にも下方に向かって拡がり得るから、転向誘導部に当たった空調空気流が適度に転向され得る。
【００１７】
転向誘導部は、典型的には、凹状湾曲案内表面を備え該案内面に沿って転向させる転向案内部分からなるけれども、風向きを大きく変え得るものであれば、その詳細な又は具体的な形状はどのようなものでもよい。なお、転向案内部により空調空気流の方向を大きく変えるためには、典型的には、後述するように、事前に流速を低減させ風圧を抑制しておくことが好ましい。また、天井パネル構造体は、空調装置のまわり又は外側のうち空調空気吹出口の下流側において天井面に取付けられるものであるから、空調装置は、既に天井に配設されているものでよく、本発明の天井パネル構造体は、既存の天井埋込済の空調装置のまわりに配設されることにより、該空調装置による天井の汚れが進行するのを避け得るだけでなく、天井の汚れの一部を蔽うことにより、汚れが目立たなくするのにも役立つ。
【００１８】
更に、本発明の天井パネル構造体では、「空気調和装置の外側において天井に取付けられるように構成され、天井に対面する側とは反対側に係合部を備えたベース構造体であって、空気調和装置の側縁に沿って延在するように天井面に一の主面で取付け可能な直線状ベース部材と、ベース構造体の係合部に被係合部で係合されて該ベース構造体に固定されるように構成されたカバー構造体であって、直線状ベース部材に係合される直線状カバー部材を含むものと」が設けられているので、ベース部材をビス等の固定手段で天井面に取付け、該取付け手段による取付け部を蔽うようにカバー部材をベース部材に被せて、カバー部材の被係合部をベース部材の係合部に係合させればよいから、その取付けが、容易に行われ易い。なお、ベース構造体は、典型的には、直線状ベース部材とコーナーベース部材とを含み、カバー構造体は、典型的には、直線状カバー部材とコーナーカバー部材とを含む。但し、ベース構造体が一つの直線状ベース部材からなりカバー構造体が一つの直線状カバー部材からなっていてもよい。
【００１９】
以上において、直線状ベース部材を直線状カバー部材とは別個に設けたことにより、直線状ベース部材のうち直線状カバー部材で蔽われる部分が、外観を考慮することなく、ビス等により天井面に取付け易く且つ直線状カバー部材に係合させやすい係合部を備えた構造で形成され得る。その結果、直線状ベース部材の天井面への取付を容易に行なうことが可能になり、最小限の作業者（例えば一人）でも直線状ベース部材の取付を行なうことが可能になる。また、直線状ベース部材の係合部は直線状カバー部材によって実質的に隠され得るので、直線状ベース部材の係合部及び直線状カバー部材の被係合部として、容易且つ強固に係合・固定されたり容易に係合解除されたりするような所望の形状ないし構造が選択され得るから、直線状ベース部材に対する直線状カバー部材の係合・固定やその解除が容易に行われるようにすることが可能になる。従って、直線状ベース部材の天井面への取付及び直線状ベース部材への直線状カバー部材の係合・固定の両方を最小限の作業者（例えば一人）で行ない得、結果として、天井パネル構造体の天井面への取付を最小限の作業者（例えば一人）で行い得ることになる。直線状カバー部材及び直線状ベース部材の夫々は、単一ないし一体的な部材からなっていても、複数の部材を組合せてなるものであってもよい。
【００２０】
また、本発明の天井パネル構造体では、「直線状カバー部材が空気調和装置の吹出口から吹出した空調空気流を天井から遠ざかる向きに転向させるべく該空気流に対して実質的に剛性の転向誘導部を備える」から、空調空気の流れを調整するための転向誘導部等の空気流調整構造に伴う直線状カバー部材の厚み及び幅を利用して、直線状ベース部材の係合部及び直線状カバー部材の被係合部を直線状カバー部材の厚み及び幅の範囲内に納めることが容易になるので、作業に適した係合部及び被係合部にすることが可能になる。
【００２１】
なお、この明細書において、直線状ベース部材に関して「一の主面で天井面に取付可能」とは、典型的には、直線状ベース部材の一の主面が天井面に直接接触する状態で天井面に取付けられることをいうけれども、場合によっては、一の主面から突出し天井面に向かう突起部（脚部）が天井面に当接する状態で直線状ベース部材が天井面に取付けられてもよい。また、「直線状ベース部材が空気調和装置の側縁に沿って延在する」とは、典型的には、直線状側縁を有する空気調和装置の該直線状側縁に平行に直線状ベース部材が延在することをいうけれども、場合によっては、平行でなくてもよく、また、空気調和装置の側縁が直線状でない場合には、該側縁の平均的な延在方向とほぼ同様な方向に直線状ベース部材が延在すればよい。更に、直線状ベース部材の係合部に関して、「天井面に対面する側とは反対側」とは、直線状ベース部材のうち天井面に対面する側とは反対側の表面から所望の向きに突出した部分を含む趣旨であり、天井面と平行な面に限られない。
【００２２】
空調空気の流れを調整すべく、空調空気流を転向させたり（空気流の流れの向きをかえること）該空気流に抵抗付与を行なったり（空気流の流れ抵抗となって風圧を抑制し空気流を減速させること）該空気流を案内したり（空気の流れを実際上妨げることなく流れの方向を規定することで、流れの向きを変えない場合と徐々に変える場合との両方を含む）するための構造は、典型的には、直線状カバー部材の表面により与えられる。直線状カバー部材が直線状ベース部材をほぼ完全に蔽う場合には、カバー部材の表面だけがこの役割を果たす。なお、直線状ベース部材の一部又は大半の部分が直線状カバー部材によって蔽われることなく天井面のところで露出していてもよい。そのような場合、空調空気の流れを調整する転向や抵抗付与（減速）や案内のための表面形状は、部分的には、直線状ベース部材によっても与えられ得る。この場合でも、直線状カバー部材は、転向誘導部で空調空気流を調整するだけでなく、直線状ベース部材を天井面に取付けるための取付構造部を覆い隠したり、直線状ベース部材と直線状カバー部材との係合部を実質上隠したりし得る。なお、転向機能を有する案内部は、典型的には、多少なりとも、抵抗付与機能も有する。
【００２３】
しかも、本発明の天井パネル構造体では、「直線状ベース部材の係合部が、該直線状ベース部材の幅方向に離れた箇所で且つ相互に向合う側とは反対側に開口した一対の係合凹部を備え、直線状カバー部材の被係合部が、直線状ベース部材の一対の係合凹部と係合する一対の被係合突起部を、該直線状カバー部材の幅方向に離れた箇所において、相互に向合う側に備える」ので、直線状ベース部材の一対の係合部やこれに係合される直線状カバー部材の一対の被係合部が直線状カバー部材の陰に隠され得るだけでなく、直線状ベース部材の一対の係合凹部のうちの前記他方の係合凹部に対して直線状カバー部材の対応する被係合突起部が係合した状態で、直線状ベース部材の前記一方の係合凹部に対して直線状カバー部材の対応する被係合突起部の係合及び該係合の解除を行うことにより、直線状ベース部材に対する直線状カバー部材の係合及び該係合の解除を行い得る。また、直線状ベース部材の一対の係合凹部が幅方向の逆向きに開口しているので、凹部を規定する両側の壁部（側壁）は直線状ベース部材の長手方向に沿って天井面にほぼ平行に延在し得るから、該壁部（側壁）がある程度は天井面のうねりに従って長手方向に沿ってうねるように変形され得るだけでなく、直線状カバー部材の一対の係合突起部も幅方向の逆向きに突出しているので、該係合突起部により形成される突条も直線状カバー部材の長手方向に沿って天井面にほぼ平行に延在し得るから、該突条が、比較的、天井面のうねりに従って長手方向に沿ってうねるように変形され易い。その結果、天井面のうねりは、該うねりに対応するような直線状ベース部材及び直線状カバー部材の変形で実質的に吸収され易い。換言すれば、天井面のうねりに応じて直線状ベース部材がある程度うねっていても、直線状ベース部材の一対の係合凹部のうちの前記一方とは反対側（すなわち他方）の係合凹部に直線状カバー部材の対応する係合突起部を強制的に嵌めこむことが可能となる。ここで、直線状ベース部材の該他方の係合凹部に対する直線状カバー部材の対応する被係合突起部の挿入が誘導又は案内されるように、該他方の係合凹部の一方の側壁が直線状カバー部材の対応する被係合突起部を案内する案内面になったり、被係合突起部が楔状の如く先細になっているか係合凹部が開口側程大きくなるように開いていることが好ましい。
【００２４】
この場合、好ましくは、直線状カバー部材が前記他方の被係合部の近傍において、天井面とほぼ平行に拡がった板状部を備える。これにより、被係合突起部近傍において、天井のうねりに応じて直線状カバー部材が長手方向に沿ってある程度曲げ変形可能になり易い。なお、この板状部は、空調空気流に対する案内面として働きうる。
【００２５】
加えて、本発明の天井パネル構造体では、「直線状ベース部材の一方の係合凹部のうち天井面に近い方の側壁（壁部）が他方の凹部から遠いところほど天井面に近接するように傾斜した傾斜面を有し、直線状カバー部材の被係合部の一対の被係合突起部のうち前記一方の係合凹部に対応する被係合突起部が前記一方の凹部の天井面に近い側の壁部の傾斜面に沿って可動な案内部を有する」ので、天井面がうねっているような場合に、天井面のうねりにともなって直線状カバー部材が長手方向にうねっていても、このうねりは、直線状ベース部材の一方の係合凹部のうち天井に近い方の壁部の傾斜面に対して直線状カバー部材の係合突起の案内部が天井面に近接する向き又は天井面から離間する向きに変位することにより吸収され得る。従って、天井面にうねりがある場合でも、直線状ベース部材に対する直線状カバー部材の係合及び該係合の解除が容易でなくなるのを避け得る。
【００２６】
ここで、直線状ベース部材の前記一方の凹部を形成する側壁のうち天井面から遠い方の側壁は、天井面とほぼ平行であってもよいけれども、直線状ベース部材の係合部に対する直線状カバー部材の被係合部の係合を容易にするためには、天井面に対面する側とは反対側に他方の凹部から遠いところほど天井面に近接するように傾斜した傾斜面を有することが好ましい。
【００２７】
この場合、直線状ベース部材の係合部のうち前記他方の係合凹部に直線状カバー部材の対応する被係合突起部を係合させた状態で、直線状カバー部材を直線状ベース部材に向かって押付けるだけで、直線状ベース部材の被係合突起部の天井面から遠い方の側壁のうち天井面とは反対側の傾斜面に沿って被係合突起部の案内部を移動させて被係合突起部に該傾斜面を乗り越えさせ、更に、該案内部を直線状カバー部材の前記一方の側壁の傾斜面に係合させ、この係合の後、直線状カバー部材に対する押付け力の付与を所望に応じて解除するだけで、直線状ベース部材に対する直線状カバー部材の係合を達成し得る。なお、ここで、一方の係合凹部のうち天井面に近い方の側壁は天井面から遠い方の側壁よりも他方の係合凹部から遠いところまで延びている。
【００２８】
また、ここで直線状ベース部材の一対の係合凹部に対して直線状カバー部材の対応する一対の被係合突起部が係合している状態で、直線状カバー部材を直線状ベース部材に向かって押付けるだけで、一方の被係合突起部の案内部を一方の係合凹部の傾斜面に沿って他方の係合凹部から遠ざかる向きに移動させ、直線状カバー部材の一対の被係合突起部間の距離を増大させることが可能になり、所望に応じて、工具等を利用して、直線状ベース部材に対する直線状カバー部材の係合を解除し得る。
【００２９】
なお、直線状ベース部材の一対の係合凹部の夫々が該直線状ベース部材の延在方向に沿って該延在方向の実質的に全長にわたって断続的に一列に延びていてもよいけれども、長手方向の一端から剥がすように係合凹部と被係合突起部との係合を解除していくためには、一対の係合凹部のうち少なくとも前記一方の係合凹部は、従ってその側壁は、直線状ベース部材の長手方向に連続的に延びていること（即ち凹部が直線状ベース部材の長手方向に沿って延在した溝の形態であること）が、好ましい。直線状カバー部材の対応する被係合突起部についても同様である。この係合の解除のためには、例えば、ドライバのような細長い工具の先端部分を利用しても、天井面との干渉を避け得るように一辺が取手になる「く」の字状の形態で側壁が滑らかに湾曲した肉厚のヘラのような工具を準備しておいてもよい。
【００３０】
直線状カバー部材は、典型的には、ほぼＵ字状の横断面形状の部分を有し、且つ一対の被係合突起部のうち直線状ベース部材の一方の凹部に係合する前記突起部が「Ｕ」の一方の脚部に形成され、転向誘導部が「Ｕ」の他方の脚部に形成される。この場合、直線状ベース部材の他方の凹部に直線状カバー部材の被係合突起部が係合した状態で直線状カバー部材の「Ｕ」の底部を押すことにより、直線状カバー部材の（一方の係合凹部のいずれか一方の側壁の）傾斜面「Ｕ」に沿って「Ｕ」の一方の脚部の先端の被係合突起部が「Ｕ」の他方の脚部の先端から遠ざかる向きに移動され「Ｕ」の二つの脚部の先端が開くことになる。すなわち、直線状カバー部材が「Ｕ字状」の横断面形状の部分を有することにより、直線状ベース部材に対する直線状カバー部材の係合やその解除のための直線状カバー部材の変形が容易に行われ得、該係合及び係合解除が容易に行われ得る。なお、「Ｕ」の脚部の長さは、転向誘導部が空気流の転向作用を奏するに要するものであり、この横断面形状「Ｕ」の部分は、転向誘導部としての高さを確保すると共に直線状カバー部材の着脱を容易にしていることになる。
【００３１】
以上において、前記一方の凹部は、典型的には、一対の凹部のうち空気調和装置の吹出口から遠い方の凹部である。但し、天井面に垂直な向きの突出量を比較的大きくとり得るような場合には、一対の凹部のうち空気調和装置の吹出口から近い方の凹部でもよい。
【００３２】
本発明の天井パネル構造体では、典型的には、直線状ベース部材が、前記一の主面とは反対側の主面において、空気調和装置のうち吹出口のある側縁に近い幅方向端部に前記一の主面に略平行な空調空気流案内面を備えると共に、幅方向に関して該案内面よりも空気調和装置の側縁から遠い部位に前記他方の係合部を備え、直線状カバー部材が、その幅方向内側端部に、直線状ベース部材の前記他方の係合部と係合する前記他方の被係合部を有し、該他方の被係合部のうち空気調和装置の吹出口に向いた部分が、直線状ベース部材の案内面に沿って流れた空調空気流の流速を低減させる抵抗として働く抵抗付与突起部になっている。
【００３３】
この場合、直線状カバー部材のための被係合突起部がその反対側の表面部分においてそのまま、抵抗付与突起部として機能し得る。なお、直線状カバー部材は、該カバー部材の表面に沿って流れる空調空気の風圧を抑制し流速を低減させる抵抗として働く別の抵抗付与突起部を前記被係合突起部の反対側表面よりも下流側で転向誘導部の上流側に更に有していてもよい。この場合、典型的には、下流側の抵抗付与突起部の方が上流側の抵抗付与突起部よりも大きな抵抗付与機能を有するように構成される。但し、逆でもよい。いずれにしても、転向誘導部に流入する空調空気流の流速を低減させ風圧を低下させておくことにより、転向誘導部にぶつかる空気流が転向誘導部の案内面に沿って流れ易くなる。
【００３４】
天井埋込型空気調和装置は、中央部に室内空気吸込口を備え周縁部に空調空気の吹出口を備えている限り、その外形形状すなわち天井に埋込まれた状態において空気調和装置が天井面に沿って拡がっている二次元形状は、正方形や長方形のような矩形でも、円形など他のどのような形状でもよい。勿論、空気調和装置は、多少なりとも、天井面から突出した三次元形状を備えているけれども、中央部に室内空気吸込口をそなえ周縁部に空調空気の吹出口を備えている限りその三次元形状もどのような形状でもよい。
【００３５】
空調空気の吹出口は、周縁部に形成されていて多少なりとも外側に向かって空調空気を吹出すように構成されている限り、周縁部の一部に吹出口があっても、実際上ほぼ全周に吹出口があってもよい。例えば、空気調和装置の天井面における平面形状が典型的なほぼ矩形形状である場合、吹出口は、矩形の四辺のうちの一辺のみに沿って形成されていても、平行な二辺に沿って実際上平行に形成されていても、四辺の全てに沿って形成されていてもよく、場合によっては、コーナー部のところに吹出口があってもよい。
【００３６】
天井パネル構造体は、典型的には、空気調和装置の吹出口毎に、該吹出口から吹出す空調空気の流れを転向させるように、転向誘導部を備えたカバー部材を有する。従って、吹出口が一つだけ直線状にある場合には、典型的には、カバー部材も一つの直線状カバー部材からなる（勿論、一つの直線状カバー部材が複数の部分を組合せてなるものでもよい）。この場合、典型的には、端部を蔽う端部キャップを両端につけることが好ましい。すなわち、この場合、天井パネル構造体は、好ましくは、直線状ベース部材の係合部と直線状カバー部材の被係合部とが相互に係合した状態において、直線状ベース構造体（典型的には直線状ベース材に一致する）及び直線状カバー構造体（典型的には直線状カバー部材に一致する）の長手方向端部のうちの少なくとも一方に被せられる端部キャップを更に有する。但し、所望ならば、カバー部材として、直線状のカバー部材の端部に（コーナーのところで曲がった）コーナーカバー部材がさらに設けられていても、場合によっては、空気調和装置の全周を取り囲むように、矩形又は四辺形等の如き閉曲線を形成するように額縁状にカバー部材を備えていてもよい。
【００３７】
天井パネル構造体は、天井面に埋込まれた空調装置の外形の形状や大きさ（サイズ）に応じた形状及びサイズに形成される。従って、天井パネル構造体を形成する直線状ベース部材及び直線状カバー部材は、長さ調整可能に形成される。この長さ調整は、典型的には、長手方向に垂直な断面が同一形状を備えた直線状ベース部材や直線状カバー部材を作業者が作業現場において所望長さに鋸などで切断することにより行なわれる。したがって、天井パネルを構成する直線状ベース部材や直線状カバー部材の材料は、典型的には、プラスチック材料からなり、典型的には、押出し成形により形成される。プラスチック材料としては、塩化ビニル樹脂が用いられてもよいけれども環境汚染を最小限に抑えるためには他の樹脂でもよい。但し、作業者が作業現場において鋸などで切断可能である限り、金属や、木材又は金属とプラスチックとの複合材料など他の材料でもよい。
【００３８】
また、天井パネル構造体は、空調装置を埋込んだ天井面のうち空調装置の周囲ないしまわりのスペースの大きさやに応じて、典型的には、空調装置の外周部の近傍において天井面に取付けられていることのある電気配線の取出口や煙感知機の如き各種の検出機器等の障害物ないし妨害部品を避けるように、空調装置のまわりに取付けられる。したがって、天井パネル構造体は、典型的には、該天井パネル構造体を形成する直線状ベース部材等の幅も調整可能である。空気調和装置の一辺は２ｍ近くに達することもあるから、２ｍ程度の長さにわたって幅が容易に調整され得るようにするために、直線状ベース部材は、典型的には、長手方向に沿って弱化部分を備え、所望に応じて、該弱化部分に沿ってカッタなどで切込を入れて幅方向の一部を除去することによりその幅が調整可能である。このような弱化部分は、典型的には、長手方向に沿って溝などである。ここで、溝は、美観などの観点から、典型的には、裏側すなわち天井面に対面する側に形成される。
【００３９】
従って、本発明の一つの典型的な天井パネル構造体では、直線状ベース部材が、空気調和装置の少なくとも一つの直線状側縁に沿って延在するように天井の下面に一の主面で取付可能で長さ及び幅が調整可能な直線状ベース部材を含み、カバー部材が該直線状ベース部材に係合され長さが調整可能な直線状カバー部材を含む。
【００４０】
この場合、直線状ベース部材の幅を調整することにより、直線状ベース部材を空調装置の近くにある妨害部品を避けて配置することが可能になる。また、空調装置の空調空気の吹出口の長さまたは空調装置のうち該吹出口に平行に延びた辺のサイズに応じて、直線状ベース部材及び直線状カバー部材の長さを作業現場で調整して天井パネル構造体を取付けることが可能になる。
【００４１】
また、本発明の一つの典型的な天井パネル構造体では、前記ベース構造体が、空気調和装置のコーナー部の外側に位置するように直線状ベース部材の端部に隣接するところにおいて天井面に一の主面で取付可能なコーナーベース部材を含み、前記カバー構造体が、直線状カバー部材の端部に隣接するところにおいてコーナーベース部材に係合されるコーナーカバー部材を含む。
【００４２】
この場合、例えば、平面形状がほぼ矩形など空気調和装置の外周のうち少なくとも二辺のまわり、典型的には全周を天井パネル構造体で取り囲み得る。
【００４３】
コーナーベース部材は、典型的には、直線状ベース部材及び直線状カバー部材の端部に被さって係合されるように構成されている。ここで、「被さる」とは、天井面に対して下側から順次重ねた状態を指す。但し、コーナーベース部材は、その側縁が、直線状ベース部材及び直線状カバー部材の隣接端部のうちの少なくとも一方よりも天井面に近い側に位置していたり、直線状ベース部材と実質的に同じ高さのところに位置していてもよい。
【００４４】
コーナーベース部材が直線状ベース部材及び直線状カバー部材の端部に被さる場合、典型的には、コーナーベース部材が、空気調和装置の吹出口から吹出した空調空気流を天井から遠ざかる向きに転向させるべく該空気流に対して実質的に剛性の転向誘導部の一部を有し、コーナーカバー部材が、ほぼＵ字状の横断面を備え、「Ｕ」の一方の脚部の内向きの被係合部でコーナーベース部材の外側壁の外向きの係合部に係合され、「Ｕ」の底部の内面でコーナーベース部材の転向誘導部の延在端に当接するこの場合、コーナーベース部材は、典型的には、該コーナーベース部材の表面に沿って流れる空調空気流の流速を低減させる抵抗として働く抵抗付与突起部を転向誘導部の上流側に有する。この場合、コーナーベース部材に対するコーナーカバー部材の係合解除が容易に行われ易い。
【００４５】
本発明の一つの典型的な天井パネル構造体は、中央部に室内空気吸込口を備え周縁部に空調空気の吹出口を備えた天井埋込型空気調和装置の吹出口の下流側において天井に取付けられるように構成され、空気調和装置の吹出口から吹出した空調空気流を天井から遠ざかる向きに転向させるべく、該空気流に対して実質的に剛性の転向誘導部を備えた天井パネル構造体であって、空気調和装置の直線状側縁の各々に沿って延在するように天井面に一の主面で取付可能で延在方向の長さ及び幅が調整可能なベース部材であって、前記一の主面とは反対側に係合部を備えたものと、前記ベース部材の係合部に被係合部で係合されて該ベース部材に固定されるように構成され長さ調整が可能なカバー部材であって、空気調和装置の吹出口から吹出した空調空気流を天井から遠ざかる向きに転向させるべく、該空気流に対して実質的に剛性の転向誘導部を備えたものとを有し、直線状ベース部材の係合部が該直線状ベース部材の幅方向に離れた箇所において相互に向合う側とは反対側に開口し該直線状ベース部材の延在方向に延在した一対の係合凹部を備え一方の凹部のうち天井面に近い方の側壁が他方の凹部から遠いところほど天井面に近接するように傾斜し、直線状カバー部材の被係合部が、直線状ベース部材の一対の係合凹部と係合する一対の被係合突起部を、該直線状カバー部材の幅方向に離れた箇所において、相互に向合う状態で備え、該被係合突起部が前記一方の凹部の天井面に近い側の壁部の傾斜面に沿って可動な案内部を有するた直線状パネル構造体、及び該直線状パネル構造体の隣接端部間に位置し該直線状パネル構造体の隣接端部に係合されるコーナーパネル構造体を具備する。
【００４６】
既に配設してある天井埋込型空調装置の吹出口の近くの天井面の汚れを覆い隠し得る限り、天井パネル構造体を形成するベース部材及びカバー部材のうちの少なくとも一部または全体が透明又は半透明材料からなっていてもよいけれども、既に配設してある天井埋込型空調装置の吹出口の近くの天井面の汚れを確実に覆い隠すためには、ベース部材及びカバー部材は、典型的には、実質上不透明な材料からなることが好ましい。但し、天井面がまだ汚れていないような場合や新たに空調装置を天井面に取付けたような場合には、少なくとも一部が透明又は半透明材料からなっていてもよい。
【００４７】
以上においては、天井パネル構造体が中央部に室内空気吸込口を備え周縁部に空調空気の吹出口を備えた天井埋込型空気調和装置の吹出口の下流側において天井に取付けられることを前提として説明した。しかしながら、以上のような天井パネル構造体の特徴は、該天井パネル構造体が天井埋込型空気調和装置の代わりに空調空気吹出口のみを備えた空調空気吹出装置（吸込口がなく開口の実質上全体が吹出口になっている空調ダクト）の空調空気吹出口の下流側において天井に取付けられる場合にも、程度の差はあれ、有効であり、本発明の天井パネル構造体は、天井取付型の空調空気吹出装置にも適用され得る。
【００４８】
【発明の実施の形態】
本発明の好ましい一実施の形態を添付図面に示した好ましい一実施例に基づいて説明する。
【００４９】
【実施例】
図１には、天井面２０１に埋込まれた天井埋込型空調装置２００を下面から見た状態（図１の（ａ））と、本発明の一実施例の天井パネル構造体３１０（図１の（ｂ））を、該空調装置２００のまわりにおいて天井面２０１に取付けた状態（図１の（ｃ））とが、示されている。
【００５０】
天井パネル構造体３１０は、長さ調整可能な四本の直線状パネル構造体３１１と四つのコーナーパネル構造体３１２とを有し、各コーナーパネル構造体３１２は、該コーナーパネル構造体３１２に隣接する直線状パネル構造体３１１，３１１を夫々の隣接端部で接続する。
【００５１】
空調装置２００が図１の（ｅ）に示すような縦長の長方形の外周形状のもの２００ａの場合には、天井パネル構造体３１０は図１の（ｃ）において想像線３１０ａで示したように縦長の長方形状に組立てられる。一方、空調装置２００が図１の（ｆ）に示すような横長の長方形の外周形状のもの２００ｂの場合には、天井パネル構造体３１０は図１の（ｃ）において想像線３１０ｂで示したように横長の長方形状に組立てられる。なお、空調装置２００が図１の（ｄ）に示したように（ａ）の場合と同様に正方形状のもの２００ｃの場合には、図１の（ｃ）において、実線で示したままの形状でよい（一辺のサイズは必要に応じて増減する）。
【００５２】
天井パネル構造体３１０の各直線状パネル構造体３１１は、図５から図９に示したように、プラスチック材料製の直線状ベース部材３２０（図５から図７参照）と、該直線状ベース部材３２０に結合されるプラスチック材料製の直線状カバー部材３４０（図５及び図８から図９参照）とからなる。以下の実施例では、具体的なサイズを例示しているけれども、これらは典型的な好ましい一例であって、本発明をこれらのサイズや形状又は同程度のサイズや類似の形状に限定しようとするものではない。
【００５３】
直線状ベース部材３２０は、図６並びに図７の（ａ）及び（ｂ）に示したように、幅Ｗ１が２０ｃｍ程度で長さＬ１が最大で２００ｃｍ程度の板状部３２１を有する。板状部３２１は、厚さＤ１（図７の（ｂ））が３ｍｍ程度の主板状部分３２２と、該主板状部分３２２の一方の主面（天井面２０１に対面する側の面すなわち裏面）３２３とほぼ面一の主面３２４を備えると共に主板状部分３２２の一端３２５から一体的に延在し厚さＤ２が２ｍｍ程度（より詳しくは、例えば、２．２〜２．３ｍｍ程度）で幅Ｗ２が１０ｃｍ程度の案内板状部分３２６とからなる。主板状部分３２２及び案内板状部分３２６のうちの少なくとも一方が、幅方向内側端部（図７の（ａ）や（ｂ）において右側の端部）に近づく程薄くなるような厚みを有していても、主板状部分３２２と案内板状部分３２６とが同じ厚さでもよい。
【００５４】
案内板状部分３２６の主面３２４側には、長手方向の全長にわたって延在した溝３２７が例えば１ｃｍ間隔で形成されている。この間隔は、より大きくても小さくてもよく、所望ならば、不均一な間隔でもよい。従って、例えば、取付作業者は、取付け現場において、該溝３２７のうちの所望の溝に沿ってカッタナイフ等の刃物の先端で更に切込みを入れることにより、案内板状部分３２６の幅Ｗ２、従ってベース部材３２０の幅Ｗ１を、取付現場で且つ作業者が一人で調整可能である。溝３２７に沿って分離しやすいように且つ通常の取扱いでは分離されたり割れやヒビが入る虞れがない程度に、案内板状部分３２６が弱化され得る限り、溝３２７の幅や深さや断面形状はどのようなものでもよい。この例では、板状部３２１の案内板状部分３２６の他方の主面即ち表側面３２８にも、溝３２７と同様な溝３２７ａが形成されており、例えば、搬送時等に傷付き易い縁部が、所望ならば、使用前に、該溝３２７ａで切り離されて使用される。この溝３２７ａは、なくてもよい。
【００５５】
案内板状部分３２６の天井側の面すなわち裏面３２４には、更に、溝３２７と同様な深さで該溝３２７よりも幅広の凹部３２７ｃが幅方向に等間隔に且つ長手方向の全長にわたって形成されている。この凹部３２７ｃは、後述の端部キャップ４５０（図１９参照）との係合に利用される。また、案内板状部分３２６の表面３２８には、高さが０．１ｍｍのオーダーの小さな突起３２７ｄが案内板状部分３２６の幅方向に等間隔に且つ長手方向の全長にわたって形成されている。この意匠用の突起３２７ｄもある程度は空気流に対する抵抗として働く。但し、この突起３２７ｄはなくてもよい。
【００５６】
更に、案内板状部分３２６の表面３２８の溝３２７ａの近傍には、図６並びに図７の（ａ）及び（ｂ）において想像線で誇張して示したような突条ないし突起３２７ｅが形成されていてもよい。この突起３２７ｅは、上述の突起３２７ｄよりも背が高く（例えば、高さが２ｍｍ程度で幅が１ｍｍ程度）、直線状パネル構造体３１１が標準幅で天井面２０１に取付けられる場合に標準的な位置決めのために用いられる。すなわち、直線状ベース部材３２０がそのまま又は溝３２７ａに沿って切断されて標準幅（実質的に最大幅）で用いられる場合、案内板状部分３２６のうち突起３２７ｅよりも先端側の部分又は溝３２７ａと突起３２７ｅとの間の先端部分３２６ａが、空調装置２００の外枠ないし化粧板部分と天井面２０１との間に挿入され、突起３２７ｅが空調装置２００の化粧板部分の外側縁に当接して、直線状ベース部材３２０の位置決めが行われ、従って、直線状パネル構造体３１１の位置決めが行われることになる。但し、この想像線で示した位置決め用突条３２７ｅは、なくてもよい。また、先端部分３２６ａ等を空調装置２００の外枠ないし化粧板部分と天井面２０１との間に挿入する代わりに、図１６に示したように、空調装置２００の外枠ないし化粧板部分の外側面に単に当接させてもよい。
【００５７】
主板状部分３２２の前記一端３２５のうち、他方の主面すなわち表側面３２９には、カバー部材３４０の一端の被係合部としてのカギ形被係合部３５７（図８及び図９）が嵌まり込む係合部としての係合凹部３３１を規定する突起部３３０が形成されている。係合凹部３３１には突起部３３０が随伴しているので、突起部３３０を係合突起部ともいう。また、この明細書において、係合関係を実現する一方を「係合部」と呼ぶとき他方を「被係合部」と呼んでいるものであって、「係合部」と「被係合部」とを区別することなく、両者を係合部又は被係合部と呼ぶこともある。ここで言及している係合要素３３１，３５７とは異なる要素間の係合関係についても同様である。この突起部３３０は、案内板状部分３２６の案内面をなす主面３２８と協働して幅方向内側に向かって開口した凹部３３１を形成すべく主面３２８，３２９から突出した湾曲突出壁部３３２を有する。突起部３３０の係合凹部３３１及び湾曲突出壁部３３２は、直線状ベース部材３２０の全長にわたって連続的に延在している。但し、所望ならば、湾曲突出壁部３３２が長手方向に沿って所望の長さを有し、等間隔に且つ一列に配置されて、全体として直線状ベース部材３２０の全長にわたってほぼ連続的に延びる係合凹部３３１を規定していてもよい。
【００５８】
主板状部分３２２の他端３３３即ち直線状ベース部材３２０の幅方向の外側端部３３３には、幅方向外向きで且つ天井面に向かう向きに開口した係合凹部３３４を形成するように主面３２８から突出した係合突起３３５が形成されている。
係合凹部３３４や係合突起３３５も直線状ベース部材３２０の長手方向の全長にわたって延在している。この明細書において、直線状パネル構造体３１１や直線状ベース部材３２０や直線状カバー部材３４０に関して、幅方向の「外側（又は外向き）」及び「内側（又は内向き）」とは、夫々、直線状パネル構造体３１１や直線状ベース部材３２０や直線状カバー部材３４０が空気調和装置２００に対して所定の向きで配置された場合に、空気調和装置２００から遠い側（離れる向き）及び近い側（近づく向き）をいう。突起部３３５は、図５の（ｂ）や図７の（ｂ）のような横断面で見て、主板状部分３２２から離間するほど幅方向内側に位置する（言換えると、主板状部分３２２に近接するほど幅方向外側に位置する）ように主面３２８から突出した基部側傾斜部ないし傾斜案内部３３６と、該基部側係合部３３６との間に凹部３３４を形成するように基部側傾斜部３３６の直線状延在端から下に凸に湾曲した半円状湾曲部３３６ａと、この半円状湾曲部３３６ａの湾曲端から基部側傾斜部３３６とほぼ平行に傾斜して延びた先端側傾斜部３３７とを有する。後述のように、カバー部材３４０の被係合部に対する係合やその解除に際して、幅方向内側の凹部３３１から遠いところほど天井面２０１に近接するように傾斜した天井側壁部すなわち基部側傾斜部３３６の内面３３６ｂはＦ１，Ｆ２方向の係合及び同解除の案内面になっている。また、先端側傾斜部３３７の幅方向外側端部ないし先端部３３７ａは基部側傾斜部３３６の端部に対応する主板状部分３２２の幅方向外側端部３３３よりも幅方向内側に位置し、先端側傾斜部３３７の外側表面（天井面２０１に対面する側とは反対側の表面）３３７ｂは、凹部３３１から遠いところほど天井面２０１に近接するように傾斜し、カバー部材３４０の係合の際、Ｆ２方向の案内面になっている。
【００５９】
主板状部分３２２の表面３２９の幅方向の中央部には、長手方向に沿って延在した突起３３８が形成され、裏面３２３には凹部３３９が形成されている。なお、図７の（ｂ）からもわかるように、直線状ベース部材３２０の長手方向に垂直な断面形状は、長手方向の全域において同一である。後述の直線状カバー部材３４０についても同様である。
【００６０】
主板状部分３２２には、更に、取付用のビス等の軸部を通すためのビス孔Ｈが形成されている。天井面においてビス取付け位置を選択可能なように、孔Ｈは長孔になっている。孔Ｈは、ビスの頭部が嵌るように周縁部が斜面化された凹部を備えていてもよく、直線状カバー部材３４０との係合を妨げない限り、主板状部３２２の幅方向の異なる部分に形成されていてもよい。直線状ベース部材３２０のうち主板状部３２２は、次に説明する直線状カバー部材３４０により下側から覆われ、表面３２９が隠される板状部である。従って、主板状部３２２に取付けられたビス等の頭部は、直線状カバー部材３４０によって隠されることになる。
【００６１】
カバー部材３４０は、図８及び図９に示したように、幅Ｗ３がベース部材３２０の主板状部分３２２の幅と同程度で長さＬ３がベース部材３２０の長さＬ１と実際上同一（Ｌ３＝Ｌ１）の細長いプラスチック部材からなる。この明細書において、特に断らない限り、「上」及び「下」とは、夫々、天井パネル構造体が天井面に取付けられた状態において、天井面に近い又は近接する側及び天井面から遠い又は離間する側をいう。カバー部材３４０は、図９の（ｂ）に示したように、天井面に近接する側（上側）程幅方向外側に位置するように僅かに傾斜してほぼ上下に延びる上下ないし垂直方向傾斜端壁部３４１と、この端壁部ないし側壁部３４１の下端３４２からほぼ水平に延びた下端案内部３４３と、下端案内部３４３の内側端部３４４から実質的に直角に上下方向に延びた短い上下方向ないし垂直壁部３４５と、この垂直壁部３４５の上端３４６から下流側に凸に湾曲した転向誘導部としての転向案内部３４７と、この転向案内部３４７の上流端３４８から一体的に上流側に延在し空調空気流に対して抵抗となって該空気流を減速する下及び上流側に凸の半円筒状の抵抗付与突起部３４９と、この抵抗付与突起部３４９の上流端３５０から一体的に上流側に延び僅かに上に凸の上流側湾曲案内部３５１と、この上流側湾曲案内部３５１の上流端３５２から実際上水平に延びた上流側水平案内部３５３と、この水平案内部３５３の上流側（幅方向内側）端に連続的に形成されベース部材３２０の幅方向内側の係合凹部３３１に係合される被係合部としてのカギ形端部３５７とを有する。
【００６２】
カギ形端部３５７は、傾斜壁部３５７ａと、ほぼ水平な壁部３５７ｂと、ほぼ上下方向の傾斜壁部３５７ｃと、ベース部材３２０の係合部３３０の幅方向内向きに開口した係合凹部３３１に嵌り合うほぼ水平で断面が楔形ないし先細の小突起部３５７ｄとを有する。換言すれば、カギ形端部３５７の壁部３５７ａ〜３５７ｄにより形成され幅方向外向きに開口した凹部３５８に、ベース部材３２０の係合突起部３３０の湾曲突出壁部３３２が嵌り込む。図５の（ｂ）に示したような組立状態においては、カギ形端部３５７は、壁部３５７ｃ及び３５７ｂにより抵抗付与小突起部３５９を形成している。小突起部３５９は、空調空気流に対して抵抗となって該空気流を減速する抵抗付与突起部として働き得る限り、壁部３５７ｃ及び壁部３５７ｂの表面の横断面形状は、楕円の一部など他の形状でもよい。同様に、小突起部３５９の下向きの高さは、典型的な一例では、例えば、５ｍｍ程度〜１ｃｍ程度であるけれども、小突起部３５９が抵抗付与突起部として働き得る限り、１ｃｍ程度より高くても５ｍｍ程度より低くてもよい。
【００６３】
上流側湾曲案内部分３５１の下流端３５０の近傍部分及び上流側水平案内部分３５３の下流端３５２の近傍部分の裏面、すなわち図９の（ｂ）に示した上面３５４には、ベース部材３２０の主板状部分３２２の下側主面３２９に当接する脚部３５５，３５６が形成されている。この例では、脚部３５５は二本の脚部部分３５５ａ，３５５ｂからなり、脚部３５５，３５６の間の凹部には、ベース部材３２０の凸部３３８が嵌り込む。なお、脚部３５５はなくてもよい。
【００６４】
転向案内部３４７は、ほぼ上下方向に延び流れ抵抗を与えると共に流れ方向を大きく変える上流部分３４７ａと、上端３４７ｃにおいて上流部分３４７ａの下端と滑らかにつながった後水平に近い角度で延び流れ抵抗を与えると共に流れ方向を大きく変えて流れを空調装置２００の中央側に且つ下向きに案内する下流側部分３４７ｂとを有し、下流側部分３４７ｂは下流端３４６で垂直壁部３４５に滑らかにつながっている。ここで、案内部３５１の端部３５０から水平壁部３４３の下端までの上下方向の高さは、例えば、４ｃｍ〜５ｃｍ程度である。但し、より大きくても（例えば１０ｃｍ若しくはそれ以上でも）、より小さくても（例えば２ｃｍ〜３ｃｍ程度）でもよい。
【００６５】
ここで、図８及び図９の（ｂ）からわかるように、直線状カバー部材３４０は、横断面がほぼ「Ｕ」字状の部分３４０ｕを、その幅方向外側に備える。すなわち、Ｕ字状部分３４０ｕにおいては、水平案内部３４３が「Ｕ」の底部に、下流側の上下方向傾斜端壁部３４１が「Ｕ」の一方の脚部に、そして短い垂直壁部３４５と転向案内部３４７と半円筒状抵抗付与突起部３４９とが全体として他方の脚部になっている。二つの脚部３４１と３４５，３４７，３４９との間に空洞３４０ｓを備えたＵ字状形態ないし構造は、脚部の上端の間の距離を材料の弾性の範囲内で増減可能にし、外側脚部３４１の先端部３４１ａは、内側脚部の上端に対して、Ｂ１，Ｂ２方向に離間又は近接されるように弾性的に変位可能である。
【００６６】
カバー部材３４０の幅方向外側端部に位置する上下方向傾斜壁部３４１は、その上側端部（天井側端部）３４１ａに、幅方向内向きに突出した突起部３６１を有する。この突起部３６１は、ベース部材３２０の係合凹部３３４に係合される被係合部３６３として働く。ここで、カバー部材３４０の壁部３４１と突起部３６１とにより形成される凹部３６２が、ベース部材３２０の突起部３３７に係合される被係合部３６３として働くとみなしても凹部３６２及び突起部３６１の両方が被係合部３６３であるとみなしてもよい。
【００６７】
突起部３６１の下側面ないし内側面は、図９の（ｂ）に示した例では、幅方向内側ほど下方に位置するように傾斜しているけれども、突起部３６１は、図９の（ｃ）において突起部分を拡大して符号３６１ａで示したように、幅方向内向きにほぼ水平方向に突出した下側面を備えていても、また、場合によっては、（ｃ）において想像線３６１ｂで示したように、係合解除を容易化すべく、幅方向内側ほど上方に位置するように上向きに傾斜した下側面（被係合面）を備えていてもよい。また、突起３６１は、カバー部材３４０の係止を可能にする限り、短くてもよく、その長さは、例えば１ｍｍ程度でも、より短くてもよい。
【００６８】
組付けに際しては、直線状カバー部材３４０の幅方向内側に位置し楔形被係合突起部３５７ｄを備えたカギ形被係合部３５７が直線状ベース部材３２０の幅方向内側の係合部３３０の係合凹部３３１に係合し、且つカバー部材３４０の幅方向外側の上下方向傾斜壁部３４１の上端３４１ａ又は突起部３６１の上側面が案内部としてベース部材３２０の係合部３３５の傾斜壁部３３７の傾斜面３３７ｂに当接した状態で、カバー部材３４０の水平壁部３４３を上向きＶ２に押上げることにより、カバー部材３４０の壁部３４１がＢ１方向に拡がるように該壁部３４１，３４３，３４５，３４７，３４９からなるＵ字状部分３４０ｕを全体として弾性的に撓ませて、カバー部材３４０の幅方向外側の上下方向傾斜壁部３４１の上端の案内部ないし摺接部３４１ａをベース部材３２０の係合部３３５の傾斜壁部３３７の傾斜面３３７ｂに沿ってＦ１方向に移動させる。内向き突起部３６１が傾斜壁部３３７の先端３３７ａよりも幅方向外側まで移動すると突起部３６１がベース部材３２０の傾斜壁部３３６に当たる。この状態で、カバー部材３４０を押し上げる力を弱めるか解除すると、カバー部材３４０の壁部３４１は、Ｕ字状部分３４０ｕの壁部３４１，３４３，３４５，３４７，３４９の弾性力によりＢ２方向に変形して元の形に戻る。これにより、カバー部材３４０は、被係合部３６３の突起部３６１がベース部材３２０の係合凹部３３４に嵌り、凹部３６２がベース部材３２０の突起部３３７に嵌るように、ベース部材３２０の係合部３３５に係合される。この係合動作ないし操作は、直線状ベース部材３２０及び直線状カバー部材３４０の長手方向の全域で実質的に同時に行わせても、長手方向の一端から他端に向かって順次進行させてもよい。
【００６９】
一方、取外しに際しては、組付けと逆の動作をさせればよい。すなわち、カバー部材３４０の壁部３４１がＢ１方向に拡がるように壁部３４３等をＶ２方向に押し上げて壁部３４１，３４３，３４５，３４７，３４９からなるＵ字状部分３４０ｕを全体としてＢ１方向に弾性的に撓ませることにより、係合部３３５と被係合部３６３との係合を解除させ、その状態で、カバー部材３４０の壁部３４１を下向きＶ１に引けば良い。これにより、ベース部材３２０の係合部３３５とカバー部材３４０の被係合部３６３との係合が完全に解除されるから、次に、ベース部材３２０の係合部３３０とカバー部材３４０の被係合部３５７との係合を解除すれば良い。
【００７０】
なお、直線状カバー部材３４０のＵ字状部分３４０ｕをＢ１方向に拡げるのに比較的大きな力を要するような場合には、直線状カバー部材３４０の長手方向の一端近傍において壁部３４３等を押し上げて端部３４１ａを傾斜壁部３３６の傾斜面３３６ｂに沿ってＦ１方向すなわちＢ１方向に拡げた状態で、ドライバ（ねじ回し）のような細長い棒状部分やストリップ状（薄片状）部分を備えた適切な工具の先端部を係合部３３５の傾斜壁部３３７の先端部３３７ａと被係合部３６３の被係合突起部３６１との間に生じた間隙に挿入し、ベース部材３２０及びカバー部材３４０の長手方向に沿って該工具を他端側に移動させることにより、係合部３３５，３６３をあたかも剥離するようなやり方で係合を完全に解除するようにしてもよい。図９の（ｃ）に示したような突起部３７１ａ，３７１ｂの場合には、係合の解除は、より容易になる。なお、ベース部材３２０の係合部３３５の係合凹部３３４は、確実な係合を保証しつつ係合解除を容易にすべく、下側壁部３３７の内面が、水平に延びていても、図７の（ｃ）に示したように外側ほど下方に位置するように傾斜していてもよい。
【００７１】
また、所望ならば、例えば、図７の（ｄ）に拡大して示したように、カバー部材３２０の傾斜壁部３３６の傾斜面３３６ｂに段差部３３６ｃを形成しておいて、カバー部材３４０のＵ字状部分３４０ｕの壁部３４１をＶ２方向に押してＦ１すなわちＢ１方向に拡げる際、壁部３４１の先端の突起部３６１を例えば長手方向の全域において一旦段差部３３６ｃに係合させ、その後、カバー部材３４０の端壁部３４１をＶ１方向に引くことにより、カバー部材３４０の被係合部３６３をベース部材３２０の係合部３３５から完全に係合解除させるようにしてもよい。なお、図７の（ｄ）において、想像線３３７ａは、拡大図では図示領域よりも下方に位置する短い傾斜壁部３３７の先端部の幅方向位置を示す。
【００７２】
いずれの場合においても、係合に際しては、ベース部材３２０の短い傾斜壁部３３７及び長い傾斜壁部３３６がカバー部材３４０の被係合部３６３を案内し、係合解除に際しては、ベース部材３２０の長い傾斜壁部３３６がカバー部材３４０の被係合部３６３を案内するので、ベース部材３２０とカバー部材３４０との係合及びその解除が、作業者一人でも且つ天井を向いた不自然な姿勢でも比較的容易に行われ得る。
【００７３】
より詳しくは、直線状パネル構造体３１１を形成・取付する場合には、まず、直線状ベース部材３２０を取付場所に応じた所定幅Ｗ１ｘ（図２）及び所定長さＬ１に形成しておく。ここで、所定幅とは、典型的には、可能な限り大きい幅である。この幅を大きく採っておくことにより、空調装置２００から吹出し天井パネル構造体で転向等された空調空気流が天井面２０１に沿って流れるのを最小限に抑制することが可能になる。
【００７４】
但し、例えば、図２において、想像線２０２で示したように、天井面２０１のうち空調装置２００の取付部に比較的近いところに、煙感知装置や配電取出口やダウンライトのような天井既存妨害部品ないし障害物２０２が取付けられたり形成されていることがある。そのような場合には、妨害部品２０２を避けるように、該部品２０２と空調装置２００との間に残された幅Ｗ３に応じて、該幅Ｗ３に合うように、直線状ベース部材３２０の幅Ｗ１ｘを調整する。典型的には、Ｗ１ｘはＷ３に近い大きさ（Ｗ１ｘ〜Ｗ３）で且つＷ３よりも小さい（Ｗ１ｘ＜Ｗ３）。なお、天井面２０１の強度や各種妨害部品２０２の取付構造及び取付作業の便宜や該部品２０２の機能や保守上の便宜からして、各種の妨害部品２０２と空調装置２００との間に隙間が実際上ない状態で該部品２０２が天井面２０１に取付けられることは、実際上あり得ないから、通常は、ある程度の幅の取付領域があることは、期待し得る。従って、ベース部材３２０の板状部３２１の主板状部分３２２の外側端面３３３から案内板状部分３２６の溝３２７のうち幅方向にみて最も外側の溝３２７ｂまでの幅Ｗ１０（図７の（ｂ））を、このような点を考慮した大きさ（可能性ある最小幅）にしておけばよい。ここで、Ｗ１０≦Ｗ１ｘである。なお、図２では、四方に部品２０２を示したけれども、このようなことは異例で、通常は、あっても一ヶ所か、多くても二箇所程度である。
【００７５】
直線状ベース部材３２０の幅Ｗ１を狭くするためには、幅がＷ３以下で最大になるような位置にある溝３２７のところで案内板状部分３２６にカットを入れて折ればよい。なお、案内板状部分３２６の幅方向内側縁部を天井面２０１と空調装置２００の外枠ないし化粧板部との間に挿入する場合には、その挿入長分だけベース部材３２０の幅を大きくしておけばよい。
【００７６】
一方、後述のようなコーナーパネル構造体３１２の使用を考慮して、直線状ベース部材３２０及び直線状カバー部材３４０を所定の長さに、鋸等で切断する。
なお、空調装置２００のサイズが比較的標準化されているときには、複数種類の長さのものを予め準備しておき、適合しない場合にのみ、切断するようにしてもよい。
【００７７】
直線状パネル構造体３１１の取付に際しては、まず、直線状ベース部材３２０を所望位置に支えた状態でビス孔Ｈにビスを挿し天井２０１にビスをねじ込んでとめる。直線状ベース部材３２０は、薄いものであるから比較的軽いので、最低２箇所をビスでとめるだけで、実際上天井面２０１に仮固定され得る。従って、三本目以降のビス止めでは、作業者が直線状ベース部材３２０を支える必要がないので、三本目以降のビス止めは、作業者が天井面２０１に対して不自然な姿勢をとる状態でも容易に行われ得る。特に、直線状ベース部材３２０の案内板状部分３２６の幅方向内側縁部を天井面２０１と空調装置２００の外枠との間に挿入する場合には、一箇所のビス止めでも仮固定可能である。
【００７８】
次に、ベース部材３２０の上流側（幅方向内側）の係合部３３０の係合凹部３３１にカバー部材３４０の上流側（幅方向内側）の被係合部３５７の楔形の被係合突起部３５７ｄを係合させた状態で、ベース部材３２０の下流側（幅方向外側）の係合部３３５にカバー部材３４０の下流側（幅方向外側）の被係合部３６３を上述のようにして、係合させる。
【００７９】
次に、天井パネル構造体３１０のコーナーパネル構造体３１２について、図１０から図１４に基づいて説明する。コーナーパネル構造体３１２は、図１０から図１４に示したように、プラスチック材料製のコーナーベース部材３７０（図１０から図１３参照）と、該コーナーベース部材３７０に結合されるプラスチック材料製のコーナーカバー部材３９０（図１０から図１１及び図１４参照）とからなる。
【００８０】
図１０から図１４に示したコーナーパネル構造体３１２では、コーナーベース部材３７０が、直線状パネル構造体３１１の長手方向端部に、被せられて係合せしめられるように構成され（図１５から図１７参照）、コーナーベース部材３７０自体が、直線状パネル構造体３１１とほぼ同様な流れ案内、抵抗付与及び転向機能を備えた表面形状を有する。
【００８１】
すなわち、ほぼ正方形の平面形状を備えたコーナーベース部材３７０は、直線状パネル構造体３１１の長手方向端部３１１ａ，３１１ａ（図５、図１５及び図１６参照）を蔽うべく該端部３１１ａ，３１１ａに下側から被せられるように、上側表面３７１が直角な二側縁３８２ａ，３８２ｂにおいて直線状パネル構造体３１１の下側表面と実質上相補的形状を備える（図１７及び図１２参照）。なお、図１２の（ａ）からわかるとおり、コーナーベース部材３７０の壁３７２は、一部を除き、典型的には、例えば、２〜３ｍｍ程度の実際上一様な厚さを有する。従って、壁３７２の下側表面３７３も、直線状パネル構造体３１１の表面と略同様な形状になり、空調空気流に対しては、実際上同様な案内や抵抗付与や転向機能を有する。
【００８２】
コーナーベース部材３７０は、コーナーベース本体部３８０と、該本体部３８０と一体的なコーナーベース外枠部３８４とからなり、コーナーベース本体部３８０は、典型的にはほぼ一様な厚さでほぼ正方形の平面形状を有する板状体からなり、正方形の一つの隅部３８１ａが円弧状に湾曲している。
【００８３】
コーナーベース本体部３８０は、円弧状に湾曲した隅部３８１ａと正方形状に切欠かれた対向隅部３８１ｂを通る対角線Ｄを含み且つ本体部３８０の平面（図１２の（ｂ）の面）に対して直角な平面に関して鏡映対称な形状を有する。隅部３８１ｂを含む辺ないし縁部３８２ａ，３８２ｂは隣接する直線状パネル構造体３１１の端縁３１１ａ，３１１ａに重なり、湾曲隅部３８１ａを含む辺ないし縁部３８２ｃ，３８２ｄはコーナーベース外枠部３８４に一体的に繋がっている。
【００８４】
コーナーベース本体部３８０は、直線状パネル構造体３１１の直線状ベース部材３２０の案内板部分３２６の下側表面３２８に重なる平面状表面部分３７４ｕを備えた平板状部分３７４と、直線状パネル構造体３１１の直線状カバー部材３４０の抵抗付与突起部３５９の表面に重なる相補的形状の凹状表面部分３７５ｕを備えた下方に凸の上流側の抵抗付与突起部３７５と、直線状カバー部材３４０の平板状部３５３及び上流側湾曲案内部３５１の表面に丁度重なる相補的形状の湾曲表面部分３７６ｕを備えた上流側湾曲案内部３７６と、直線状カバー部材３４０の抵抗付与突起部３４９の表面に丁度重なる相補的形状の凹状表面部分３７７ｕを備えた断面円弧状で下方に凸の抵抗付与突起部３７７と、直線状カバー部材３４０の転向案内部３４７のうち上流側表面３４７ａに丁度重なる相補的形状の凸状湾曲表面部分３７８ｕを備えた凹状転向誘導部の一部としての上流側転向案内部分３７８とを有する。各部分３７５，３７６，３７７，３７８は、図１２の（ｂ）の平面図（厳密には底面図）でみて、夫々の縁部３８２ａ及び３８２ｂから該縁部３８２ａ及び３８２ｂの延在方向に対して直角に直線的に延びた部分３７５ａ，３７６ａ，３７７ａ，３７８ａ及び３７５ｂ，３７６ｂ，３７７ｂ，３７８ｂと、該直線状延在部分を滑らかにつなぐ円弧状部分３７５ｃ，３７６ｃ，３７７ｃ，３７８ｃとを有する。
【００８５】
コーナーベース本体部３８０は、また、該本体部３８０の面がほぼ天井面２０１に平行になるようにその裏面（上面）３７１から突出したリブ状の脚部３８３を有する。図１３に示した例では、この脚部３８３は、三本の脚部３８３ｐ，３８３ｑ，３８３ｒからなる。各脚部３８３ｐ，３８３ｑ，３８３ｒは、図１３の平面で見てＬ字状に延びており、脚部３８３ｐ，３８３ｑは、対角線Ｄと交差する領域において円弧状に湾曲している。脚部３８３の数はより多くても、より少なくてもよく、また、連続的である代わりに、断続的に分布していてもよい。
【００８６】
コーナーベース本体部３８０のうち最上流側の案内面を与える平板状部３７４は、ほぼ正方形で、本体部３８０の湾曲円弧状隅部３８１ａに対応する側に同様な湾曲円弧状隅部３７４ｒ（但し円弧の半径がより小さい）を有し、本体部３８０の切欠付隅部３８１ｂに対応する隅部で切欠線３７４ａ，３７４ｂに沿った切欠部３７４ｃを有する。平板状部３７４は、更に、切欠部３７４ｃのところにおいて、上面３７４ｕ側に突出した正方形状脚部３８３ｓを有する。正方形状脚部３８３ｓは、正方形の二側縁で平板状部３７４ａの切欠縁部３７４ａ，３７４ｂに一体的に繋がり、他の脚部３８３ｐ，３８３ｑ，３８３ｒと協働して天井面２０１に対するコーナーベース部材３８０の脚面ないし当接平面を規定している。
【００８７】
なお、平板状部３７４は、更に、その上面３７４ｕに、直線状パネル構造体３１１の直線状ベース部材３２０の案内板状部３２６の溝３２７と同様にサイズ調整のための切断を容易化する弱化部を与える溝３７４ｇを等間隔に有し、下面３７４ｄに、直線状ベース部材３２０の案内板状部３２６の突条３２７ｃと同様な突条３７４ｐを等間隔に有する。
【００８８】
なお、コーナーベース部材３７０は、直線状パネル構造体３１１の端縁３１１ａに重なる縁部３８２ａ，３８２ｂの近傍以外の部分において、上流側転向案内部分３７８の端部から連続的に延在しコーナーカバー部材３９０を支える延在端（下端）３７８ｔを備えた支持壁部分３７８ｓを備える。支持壁部分３７８ｓの端部３７８ｗと転向案内部の上流側案内部分３７８の下端３７８ｕとの間には、切欠部３７８ｆが形成されている。この切欠部３７８ｆは、直線状パネル構造体３１１に対してコーナーベース部材３７０が重ねられる際、直線状パネル構造体３１１の端部３１１ａにおいて、転向案内部３４７の下流側部分３４７ｂや垂直案内部３４５が下方に僅かに突出するのを許容する（図１７の（ａ））。
【００８９】
コーナーベース外枠部３８４は、コーナーベース本体３８０の延在面と平行な平面（図１２の（ｂ）等）で見て、湾曲隅部３８１ａで繋がった本体３８０の二側縁３８２ｃ，３８２ｄにおいてほぼＬ字状に直角に延びる外枠本体部３８５を有する。すなわち、外枠本体部３８５は、辺３８２ａ及び３８２ｂと平行に延在した直線状部分３８５ｂ及び３８５ａと、二つの直線状部分３８５ａ，３８５ｂの間の円弧状部分３８５ｃとからなる。外枠本体部３８５の各部分３８５ａ，３８５ｂ及び３８５ｃは、夫々、下端において、水平連結部３８６の対応する直線状部分３８６ａ，３８６ｂ及び円弧状部分３８６ｃを介して、コーナーベース本体部３８０の垂直延設壁３７８ｓの直線状部分３７８ｓａ，３７８ｓｂ及び円弧状部分３７８ｓｃに一体的に結合されている。水平連結部３８６の端面３８６ａｔ，３８６ｂｔ（図示せず）も端面３７８ｗと実質的に面一になるように切欠かれている。外枠本体部３８５は、直線状パネル構造体３１１の直線状カバー部材３４０の上下方向傾斜壁部３４１と同様に、天井面２０１に近接するほど空調装置２００から遠いところ（外側）に位置するように、下端から上端に向かって僅かに末広がりに傾斜しており、その上端部に幅広の脚部３８７を備える。上端が天井面２０１に当接する脚部３８７も、直線状部分３８７ａ，３８７ｂ及びその間の円弧状部分３８７ｃからなるＬ字状の平面形状を有する。３８４ｈは、コーナーベース部材３７０の取付用のビス孔であり、３８４ｇは、該ビス孔３８４ｈを介するビスの取付け／取外しのためのドライバの如き工具の挿入用凹部、３８４ｓは凹部３８４ｇを規定する部分円筒状壁部である。なお、天井の裏側の支持枠に対する位置合せを等を考慮することなく天井面２０１に対する天井パネル構造体３１０の取付け位置の自由度を高めるためには、各ビス孔は、図１２の（ｂ）及び図１３において一箇所の孔について想像線で例示したように、長孔ないし長円形の孔３８４ｈｉであることが好ましい。その場合、当然ながら、凹部３８４ｇｉ及びビス取付工具挿入用凹部形成壁部３８４ｓｉも想像線で示したように長円状に形成される。
【００９０】
コーナーベース外枠部３８４の脚部３８７は、「Ｌ」の両辺を規定する直線状部分３８７ａ，３８７ｂの自由端部３８７ａｅ，３８７ｂｅが、夫々、隣接する直線状パネル構造体３１１の直線状ベース部材３２０の端縁３３３に係合するように、コーナーベース本体部３８０の縁部３８２ａ，３８２ｂに一致するところまで、延在している。なお、図１７の（ｂ）に示したように、脚部３８７の自由端部３８７ａｅや３８７ｂｅ（図示せず）が、端面３８６ａｔや３８６ｂｔ（図示せず）とほぼ面一のところで切欠かれていてもよい。また、コーナーベース外枠部３８４の本体部３８５は、直線状パネル構造体３１１の直線状カバー部材３４０のＵ字状部分３４０ｕの二つの脚部を形成する壁部３４１，３４７間の凹部に僅かに挿設されるように、直線状部分３８５ａ，３８５ｂの自由端部３８５ａｅ，３８５ｂｅから突出した薄肉突出端部３８５ａｔ，３８５ｂｔを有する。但し、この薄肉突出部３８５ａｔ，３８５ｂｔは、コーナーベース部材３７０の装着の容易性を妨げる虞れがあるから、ないほうが好ましい場合も少なくなく、突出部３８５ａｔ，３８５ｂｔを設ける場合でも、コーナーベース部材の着脱を容易にすべく、誇張して図示したものよりも長さを最小限に止めたり角部を斜めに切欠いておくことが好ましい。図１７の（ａ）では、薄肉突出部３８５ａｔがある場合の例を、（ｂ）では、薄肉突出部３８５ａｔがない場合の例を示している。コーナーベース外枠部３８４は、更に、その本体部３８５の外側面に、コーナーカバー部材３９０が係合される係合凹部３８９（図１１）を有する。図１２の（ｃ）に示した例では、両端の係合凹部３８９ａ，３８９ｂ（図示せず）は、外枠本体部３８５の自由端部の切欠部になっており、中間の切欠部３８９ｃ，３８９ｄ（図示せず）は開口の形態である。但し、コーナーカバー部材３９０の着脱を容易にすべく、切欠部３８９ｃ，３８９ｄは浅い溝になっていても、更に、二つの切欠又は溝のうち一つはなくてもよい。配置は、数に応じて適宜決めればよく、両端の係合凹部３８９ａ，３８９ｂ（図示せず）も、一側で開口した切欠部の代わりに全周に壁部のある開口部であってもよい。
【００９１】
コーナーカバー部材３９０は、図１４，図１１及び図１０からわかるとおり、全体としてほぼＬ字状の形状を備え横断面がＵ字状の（但し「Ｕ」の一方の脚部が「Ｕ」の他方の脚部よりはるかに短い）コーナーカバー本体部３９１を有し、該本体部３９１は、ほぼＬ字状の長い外側壁部３９２と、該外側壁部３９２の一端（下端）から該外側壁部３９２に対してほぼ直角（僅かに鈍角）に延びたほぼＬ字状の端壁部３９３と、該端壁部３９３の一端（内側端）から該端壁部３９３に対してほぼ直角に延びたほぼＬ字状の短い内側壁部３９４とを有する。より詳しくは、図１４に示したように、外側壁部３９２，端壁部３９３及び内側壁部３９４は、夫々、二つの直線状壁部分３９２ａ，３９３ａ，３９４ａ及び３９２ｂ，３９３ｂ，３９４ｂと、該二つの直線状壁部分の間においてこれらをつなぐ円弧状湾曲壁部分３９２ｃ，３９３ｃ，３９４ｃとを有する。外側壁部３９２は、その上端の内縁に、コーナーベース部材３７０の切欠部３８９に係合する被係合突起部３９５を有する。図示の例では、突起部３９５は、切欠部３８９ａ，３８９ｂ（図示せず），３８９ｃ，３８９ｄと夫々係合すべく外側壁部３９２に対して鋭角に突出した実質的に同一形状の突起部３９５ａ，３９５ｂ及びほぼ直角に突出した実質的に同一形状の３９５ｃ，３９５ｄからなる。但し、所望ならば、コーナーカバー部材３９０の取外しを容易にすべく、突起部３９５ｃ，３９５ｄのうちの一つはなくてもよく、また、内側の突起部３９５ｃや３９５ｄは、係合解除を容易化すべく、図１４の（ｃ）に示したように、外側壁部３９２に対して鈍角をなす湾曲突起部３９５ｆの形態でもよい。
【００９２】
コーナーカバー本体部３９１の端壁３９３の内面には、薄い側壁３９６が内側壁部３９４に対してほぼ一定の間隔をおいて、Ｌ字状に延在している。３９６ｒは側壁３９６を支えるリブである。なお、側壁３９６は、コーナーカバー本体部３９４が、隣接する直線状パネル構造体３１１に被さる領域よりも手前で終っている。この内部側壁３９６は、なくてもよい。コーナーカバー本体部３９１の端壁３９３は、コーナーカバー部材３９０がコーナーベース部材３７０に被せられた際、コーナーベース部材３７０の延長壁部３７８ｓの下端３７８ｔに当接する。
【００９３】
コーナーカバー本体部３９１のＬ字状の内側壁部３９４は、該壁部３９４の上部に外側（Ｕの内側）に曲がった帯状縁部３９４ｕを有する。この帯状縁部３９４ｕは、コーナーカバー部材３９０がコーナーベース部材３７０に被せられた際、コーナーベース部材３７０の湾曲転向壁部３７８の下端から延びた延長壁部３７８に対して狭い間隙を介して対面し、転向案内部の下流側部分として機能する。なお、このＬ字状の帯状縁部３９４ｕは、長手方向の両端部に突出壁部３９４ｕｔ，３９４ｕｔを備える。内側壁部３９４の突出壁部３９４ｕｔ，３９４ｕｔは、コーナーベース部材３７０が直線状パネル構造体３１１の隣接端部３１１ａに被せられた状態で、更にコーナーカバー部材３９０を被せる際、直線状パネル構造体３１１の隣接端部３１１ａのうちコーナーベース部材３７０の切欠部３７８ｆからのところに露出する転向案内部３４７の下流側部分３４７ｂに係合する。但し、この突出壁部３９４ｕｔはなくてもよく、壁部３９４ｕｔのある例が図１７の（ａ）に、壁部３９４ｕｔのない例が（ｂ）に示されている。
【００９４】
コーナーパネル構造体３１２は、隣接する直線状パネル構造体３１１，３１１が所定長且つ所定幅で所定位置に取り付けられた後、直線状パネル構造体３１１，３１１に重ねるように取付けられる。すなわち、まず、相互に直角に延びた直線状パネル構造体３１１，３１１の隣接端部３１１ａ，３１１ａの上に、コーナーベース部材３７０が、その縁部３８２ａ，３８２ｂで重なるように、取付けられる。このときコーナーベース部材３７０の縁部３８２ａ，３８２ｂの夫々と直線状パネル構造体３１１，３１１の隣接端部３１１ａ，３１１ａとの重なり部の長さは、切欠３７８ｆで切欠かれた端部３７８ｗや脚部３８３の端部と対応縁部３８２ａ，３８２ｂとの間の距離ＬＥ以下になるように選択される。換言すれば、少なくとも最小限の重合があり且つ該重合がＬＥ以下であればよく、この長さＬＥが直線状パネル構造体３１１の長さについての最大許容誤差（厳密にはその１／２）になる。コーナーベース部材３７０を直線状パネル構造体３１１に対して下側から重ねると、コーナーベース部材３７０は、壁部３７４，３７５，３７６，３７７，３７８が直線状パネル構造体３１１の相補的形状の壁部３２６，３５７，３５１及び３５３，３４９，３４７ａに夫々当接し脚部３８３が天井面２０１に当接すると共に、外枠部３８４の脚部３８７が直線状パネル構造体３１１の端部３３３に係合する（図１７参照）。ここで、薄板状突出部３８５ａｔ，３８５ｂｔがある場合には、例えば、コーナーカバー部材３７０の対角線Ｄ方向の内側隅部３８１ｂよりも外側隅部３８１ａを天井面２０１に近付けるように傾け且つ対角線Ｄ方向の外側から薄板状突出部３８５ａｔ，３８５ｂｔを嵌めこみつつ外枠部３８４の脚部３８７，３８７を直線状パネル構造体３１１，３１１の隣接端部３１１ａ，３１１ａに係合させ、次に、内側隅部３８１ｂを天井面２０１に近接させて、上記の重ね合せを行う。次に、前述のようにして、コーナーカバー部材３９０をコーナーカバー部材３７０に重ねて、コーナーカバー部材３９０の被係合突起部３９５をコーナーベース部材３７０の係合凹部３８９に係合させる。
【００９５】
以上のように構成された天井パネル構造体３１０の天井面２０１への取付けについて、説明する。
【００９６】
まず、空調装置２００のまわりの天井面２０１に、障害物２０２があるかどうかをチェックする。例えば、図４の（ａ）に示したように、図２の位置Ｇに障害物２０２ａがあるとする。空調装置２００の隣接側縁から障害物２０２ａの外縁までの距離Ｗ３に応じて、この右辺に配置すべき直線状パネル構造体３１１Ｒ（以下では右辺に配置する関連部材や要素について符号の最後にＲを付ける）の幅Ｗ１ｘが、Ｗ１ｘ≦Ｗ３になるように、直線状パネル構造体３１１Ｒを構成する直線状ベース部材３２０Ｒの幅を調整する（図４）。この調整に際しては、直線状ベース部材３２０Ｒの案内板状部３２６Ｒに多数形成されている溝３２７のうち、適切な位置にある溝に沿って、直線状ベース部材３２０Ｒを切断する。この切断は、溝３２７に沿ってカッタなどで切込を入れ、該切込に沿って折り曲げることによって、容易に行われ得る。この例では、図４に示したように、障害物２０２ａが充分遠くにあり、直線状ベース部材２０Ｒは、標準的な最大幅になるように一番外の溝３２７ａ（図６等）に沿って切断されるか又は切断されることなくそのまま使用（適用）されている。空調装置２００の周囲の天井面２０１には、他には障害物２０２はないと仮定する。なお、他の位置にも障害物２０２がある場合には、その位置に応じて、対応する箇所に配置する直線状パネル構造体３１１の直線状ベース部材３２０の幅を溝３２７を利用して調整すればよい。
【００９７】
次に、直線状パネル構造体３１１Ｒ，３１１Ｌ，３１１Ｕ，３１１Ｄの長さを調整する。すなわち、各直線状パネル構造体３１１Ｒ，３１１Ｌ，３１１Ｕ，３１１Ｄを、空調装置２００のうち夫々が並設されるべき側縁部の長さに切断する。なお、直線状パネル構造体３１１（例えば３１１Ｕや３１１Ｄ）の幅方向内側端部の一部を空調装置２００の側壁（化粧板等）と天井面との間に挿入する場合には、コーナーパネル構造体３１２（例えば３１２ＲＵや３１２ＲＤ）の図４の上下方向位置もずれるので、隣接する直線状パネル構造体３１１（例えば３１１Ｕや３１１Ｄ）の幅方向内側端部の挿入長に応じて、直線状パネル構造体３１１（例えば３１１Ｒ）の長さを適宜調整すればよい。他の部分についても、同様にして、直線状パネル構造体３１１及びコーナーパネル構造体３１２のサイズを調整すればよい。但し、この例では、標準幅で且つ幅方向端部を空調装置と天井面との間挿入しないので、溝に沿った切欠きは不要である。
【００９８】
次に、四つの直線状パネル構造体３１１を幅及び長さに応じた所定位置において天井面２０１に取りつけ、更に、コーナーパネル構造体３１２を直線状パネル構造体３１１の縁部３１１ａに重ねて所定の角部に取付ければよい。ここで、各直線状パネル構造体３１１の取付けに際しては、夫々の直線状ベース部材３２０を天井面２０１に少数（例えば２〜３本程度）のビスなどで長孔に仮固定し、次に直線状カバー部材３４０を一対の被係合部が直線状ベース部材３２０の一対の係合部に係合されるように前述のようにして取付ける。更に、コーナーパネル構造体３１２のコーナーベース部材３７０を四つの直線状パネル構造体３１１Ｒ，３１１Ｌ，３１１Ｄ，３１１Ｕのうち隣接する直線状パネル構造体の縁部に被せてビスなどで天井面２０１に仮固定する。このようにして、四つのコーナーベース部材３７０を仮固定した状態で、全体の配置を床面から確認する。
【００９９】
例えば、直線状パネル構造体３１１の長手方向位置が適正でない場合には、当該直線状パネル構造体３１１に重なり仮固定された両端のコーナーベース部材３１２を取外した後、当該直線状パネル構造体３１１の直線状カバー部材３４０を直線状ベース部材３２０から外す。このとき、直線状カバー部材３４０のＵ字状部分３４０ｕを天井面２０１側に押付けて被係合突起部３６１のある「Ｕ」の脚部３４１を傾斜面３３６ｂに沿って拡げて前述のようにして外せばよい。なお、直線状カバー部材３４０及び直線状ベース部材３２０は両方共に押出し成形で形成される形状（横断面が一定の形状）を有するので、直線状カバー部材３４０を長手方向に沿って抜く（押す）ことにより係合を解除してもよい。次に、ビスを緩めて直線状ベース部材３２０の仮固定位置をずらして、再度、直線状カバー部材３４０及びコーナーベース部材３７０を重ねて仮固定する。なお、コーナーベース部材３７０を外した状態で又は一部のコーナーベース部材３７０を仮固定したまま、仮固定した直線状パネル構造体３１１の長手方向端部をハンマーなどでたたくことにより、長孔を介してビスにより仮固定された直線状パネル構造体の位置調整を行うようにしてもよい。このようにして、各直線状パネル構造体３１１の幅、長さ及び取付け位置が確定されると、再度、直線状カバー部材３４０を外して、各直線状ベース部材３２０を天井面２０１に対して所定数の箇所でビス止めすると共に対応する直線状カバー部材３４０を該直線状ベース部材３２０に係合させて固定して、四箇所の直線状パネル構造体３１１の取付けを完了する。
次に、必要に応じて所定サイズに調整されたコーナーベース部材３７０を直線状パネル構造体３１１，３１１の隣接端部に重ね合わせて天井面２０１に固定する。そして、最後に、四箇所のコーナーベース部材３７０にコーナーカバー部材３９０を被せ係合させることにより、コーナーパネル構造体３１２を完成させることにより、天井パネル構造体３１０の取付けが完了する。このようにして組付けた状態を、斜視図で見ると、例えば、図３に示したように見える。
【０１００】
以上のようにして天井パネル構造体３１０が取付けられるべき天井面２０１は、必ずしも理想的な平面ではなく、多少なりとも平面からずれてうねっている。
空調装置２００のサイズが大きくて直線状パネル構造体３１１の長さが２ｍ程度になるような場合、このような天井面２０１の上下方向へのうねりは無視し難くなる。すなわち、うねった天井面２０１への取付けられる場合でも、この直線状ベース部材３２０では、大半が平板状部分からなり且つ該平板状部分に対して突出した部分の突出長が比較的短く且つその幅が比較的細く更に突出部が直線状ベース部材３２０の全長にわたって延在しているので、直線状ベース部材３２０が図６においてＱ１，Ｑ２方向に比較的撓みやすい。したがって、直線状ベース部材３２０の長手方向に沿って天井面２０１にうねりがある場合でも、直線状ベース部材３２０が天井面２０１のうねりにほぼ沿うように取付けられ得る。
【０１０１】
次に、この長手方向に沿ってうねった直線状ベース部材３２０に対して直線状カバー部材３４０を係合・固定するに際しては、案内板状部分３２６の平面３２８に沿って内側に向かって大きく開口した直線状ベース部材３２０の係合凹部３３１に対して、外側に向かって先端が楔状に先細になった直線状カバー部材３４０の被係合突起部３５７ｄをまず嵌めこむ。このとき、被係合突起部３５７ｄを直線状ベース部材３２０の案内板状部分３２６の平面３２８に沿って幅方向外向きに押し込む（引く）ことにより、直線状ベース部材３２０が多少ある程度うねっていても先細の被係合突起部３５７ｄが大きく開口した係合凹部３３１に確実に嵌めこまれ得る。なお、直線状カバー部材３４０の被係合突起部３５７ｄ及び直線状ベース部材３２０の係合凹部３３１の突出壁部３３２が両方共に長手方向に沿って連続的に延在しているから、仮に、部分的に嵌り難い箇所があっても、連続的に隣接する箇所の係合箇所の係合の進行（凹部に対して突起の嵌合長が深くなること）に伴って、直線状カバー部材３４０の被係合部３５７の部分も長手方向に多少うねるようにＱ１，Ｑ２方向に変形されて（図８参照）、当該箇所でも嵌合が開始・進行され得る。ここで、直線状カバー部材３４０の被係合部３５７は単なる平板と比較すると長手方向にうねるような撓みは生じにくいけれども、ほぼ平板状の部分３５３，３５１に対して直角な向きの突出長は比較的小さいから、ある程度うねるような多少の撓みは生じ得ることになる。なお、係合凹部３３１が幅方向内側程大きくなるように開口しているときは被係合突起部３５７ｄは先細ないし楔形でなくてもよく、被係合突起部３５７ｄが先細ないし楔形のときは係合凹部３３１は幅方向に一定の大きさで開口していてもよい。
【０１０２】
係合凹部３３１に対する被係合突起部３５７ｄの係合が完了すると、次に、直線状ベース部材３２０の幅方向外側の係合凹部３３４に対して直線状カバー部材３４０の幅方向外側の被係合突起部３６１を係合させる。このとき、係合凹部３３４に対する突起部３６１の上下方向の位置には、実際上、上側傾斜面３３６ｂの長さに対応する高さ分だけの自由度があるので、多少のうねりは、この上下方向の位置のバラツキとして吸収され得る。しかも、上下方向位置のズレに伴う被係合突起部３６１の幅方向の位置のズレは、直線状カバー部材３４０のＵ字状部分３４０ｕのＢ１，Ｂ２方向の撓みとして吸収され得る。
【０１０３】
したがって、天井面２０１にうねりがあっても、直線状ベース部材３２０と直線状カバー部材３４０とは、確実に係合されて、直線状パネル構造体３１１が組立てられ得る。なお、コーナーパネル構造体３１２のサイズ程度の範囲では、天井面２０１のうねりは実際上無視され得る。
【０１０４】
次に、空調装置２００が動作する際における天井パネル構造体２１０の働きを、図１８及び図４に基づいて、説明する。
【０１０５】
図４に示したように、天井面２０１に沿ってほぼ矩形（正方形状）の空調装置２００は、矩形の中央に室内空気吸込口２１０を、四辺ないし四つの側縁の近傍に空調空気吹出口２１１を有する。すなわち、図１８に示したように、空調装置２００は、中央管路２０５内に位置するモータ駆動のファン２１２により、中央の室内空気吸込口２１０から室２０７内の空気をＫ１方向に吸込み、この室内空気を中央管路２０５と外側の吹出管路２０６との間に位置する全体としてほぼ筒状の室内用熱交換器２１３に向かってＫ２方向に流し、熱交換器２１３の伝熱管や伝熱フィンの間を通るとき該熱交換器２１３の伝熱管内を流れる熱媒体によって室内空気を加温（暖房の場合）又は冷却（冷房の場合）した後、吹出管路２０６の出口の空調用空気吹出口２１１において所望形状の化粧板又は周壁ないし側壁２１４や風向調整板２１５などにより風向きを調整して、該吹出口２１１からほぼ天井面２０１に平行でやや下向きに外側に向かってＫ３方向に空調空気を吹出す。なお、熱交換器２１３を通過する空気流の入口などには室内空気の汚れ（微粒子など）をある程度取除き得るフィルタが設けられている。
【０１０６】
空調用空気吹出口２１１から外向きで且つやや下向きにＫ３方向に吹出した空調用空気流のうち最上層の部分は、天井パネル構造体３１０の直線状パネル構造体３１１の直線状ベース部材２０の案内用平板状部３２６に沿って、ほぼ天井面２０１と平行に流れる。この流れは、次に、直線状カバー部材３４０の抵抗付与突起部３５９に当たって風圧が抑制されて流速が低下すると共に、突起部３５９の表面に略沿って拡がりながら流れる。抵抗付与突起部３５９を越えた空調空気流は、直線状カバー部材３４０の僅かに下方に湾曲した案内面を有する案内部３５１に沿って流れた後、抵抗付与突出部３４９にぶつかって、更に大きく風圧が抑制され減速される。減速に伴い徐々に拡がりながら抵抗付与突起部３４９を越えた空調空気流は、次に、湾曲して下方に急激に突出した（下方に大きく垂下った）転向案内壁部３４７で、大きく転向されて吹出口から出たときの当初の流れ方向から９０度程度またはそれ以上転向された流れＳ１になる。従って、流れの一部が下端部３４３を越えても実際上斜め下向きに流れる。
【０１０７】
以上のような空調用空気流の流れの流速及び向きの変化は、主として、直線状パネル構造体３１１の表面近傍の流れに生じる典型的な現象であり、直線状パネル構造体３１１の表面から離れた流れほど、直線状パネル構造体３１１の表面形状の変化により直接的に受ける影響は小さくなるけれども、パネル構造体３１１側に隣接して位置する空調用空気流に生じる上述のような変化は、多少の差こそあれ、その下層に流れにも影響を与えて、同様に、減速されて拡がり且つ下向きに転向された流れＳ２を形成する。
【０１０８】
一方、空調装置２００の中央部では、室内空気が吸込口２１０から常にＫ１方向に吸込まれているから、下方に転向された空調用空気流の一部は、図１８において、Ｓ３で示したような循環流を与える。この循環流Ｓ３は、過剰になると、所謂ショートサーキットないしショートカットとして空調装置２００の空調の効率を大幅に低下させることになるけれども、ごく一部の空調空気流が循環流Ｓ３としてＫ１方向の吸込用室内空気流Ｓ４に混ざりこむことは、許容されてもよい。
【０１０９】
一方、このような循環流Ｓ３の形成は、上述の転向流Ｓ１，Ｓ２などとあいまって、空調空気流の大半が図１８の流れＳ５のように、室内に所望の形態で拡がっていくことを助けることになる。
【０１１０】
その結果、空調空気流が、直線状パネル構造体３１１の直線状カバー部材３４０の最下端部３４３を越えてその外側の天井面２０１ａに当たるように流れるのを、最小限に抑制し得る。従って、天井面２０１が、空調空気流に含まれる固体又は液体などの微粒子によって汚される虞れを最小限に抑え得る。
【０１１１】
以上においては、直線状パネル構造体３１１の役割について、説明したけれども、コーナーパネル構造体３１２も、直線状パネル構造体３１１と実際上同様な断面形状ないし外形または輪郭を有するから、直線状パネル構造体３１１と同様に働く。特に、この例のように、四辺に吹出口２１１がある場合、コーナーパネル構造体３１２を欠き隣接する二つの直線状パネル構造体３１１，３１１の間のコーナーパネル構造体３１２の部分に間隙があると仮定すると、直線状パネル構造体３１１によって抵抗を受けて拡がった空調空気流の一部が直線状パネル構造体３１１の両端近傍部分からコーナーパネル構造体３１２の欠如した間隙に流れる虞れがあるだけでなく、このような流れが一旦形成されると間隙を通る流れが更に強くなり易い虞れがあるけれども、コーナーパネル構造体３１２がそのような間隙を排除しているから、閉じた四辺形状の天井パネル構造体３１０は、全体として、天井面２０１に向かう空調用空気流を最小限にし得る。
【０１１２】
但し、例えば、吹出口が、例えば、四辺形の平行な二辺や一辺だけに限られているような空調装置の場合、該吹出口に向合ったところにのみ、好ましくは吹出口の長さよりも十分に長い範囲にわたって、直線状パネル構造体を取りつけてもよい。但し、所望ならば、この場合にも、直線状パネル構造体の一端又は両端にコーナーパネル構造体をとりつけても、場合によっては、上述のような間隙をなくすべく、吹出口の数にかかわらず、閉じた四辺形状の天井パネル構造体にしてもよい。
【０１１３】
直線状パネル構造体を単独で用いる場合には、直線状パネル構造体３１１の両端に、図１９に示したような端部キャップ４５０を被せる。なお、図１９に示した端部キャップ４５０は、直線状パネル構造体３１１の一端（風の流れ方向の下流側に向かってみて左端）側に取付けられるものであって、右端側に取付けられるものは、当然ながら、図１９に示した端部キャップ４５０に対して鏡映対称な形状を有するので、ここでは、説明を省略する。
【０１１４】
端部キャップ４５０は、端壁部４７０と該端壁部４７０の内表面から突出した壁部や突起を有し、直線状パネル構造体３１１の端部３１１ａ（図５の（ａ）参照）に被さるように嵌る形状を有する。すなわち、端部キャップ４５０の各下側壁部４５１，４５２，４５３，４５４は、コーナーパネル構造体３１２のコーナーベース部材３２０の壁部３７４，３７５ａ，３７６ａ，３７７ａと実質的に同一の形状を有する。また、下側壁部４５５，４５６，４５７，４５８，４５９は、直線状パネル構造体３１１の壁部３４７，３４５，３４３，３４１，３３３の外表面と相補的形状の内表面を有する。また、壁部４５８，４５９の間には、凹状壁部４５８ａが形成され、該凹状壁部４５８ａの内向きに凸の内面部が直線状パネル構造体３１１の直線状カバー部材３４０の先端部３４１近傍の斜面部及び直線状ベース部材３２０の斜面部３３６ｂにより形成される凹面部に当接する（直線状パネル構造体３１１の形状については例えば図５の（ｂ）参照）。壁部４５１の内表面には、直線状パネル構造体３１１の幅調整に応じて幅方向長さを調整可能にする溝４５１ｇが等間隔に形成されている。上側突起部４６０は、直線状パネル構造体３１１の上面の凹部３２７ｃに係合する。なお、直線状パネル構造体３１１の切断端部が長手方向に対して直角方向から多少ずれているような場合でもこの端部にある程度沿い得るように、突起部４６０の幅は凹部３２７ｃの幅よりも多少小さく、また突起部４６０の長さが比較的長く且つ先細になるようにテーパが切られている。直線状パネル構造体３１１のベース部材３２０及びカバー部材３４０の長さの多少の相違も、端部キャップ４５０の壁部４５１〜４５９により隠され得る。この例では、三つの上側突起部４６０があるけれども、突起部４６０の数はより多くても、より少なくてもよい。端壁４７０には、更に、直線状パネル構造体３１１の直線状カバー部材３４０のＵ字状部分３４０ｕ内の凹部のうち、部分円筒状壁部３４９の内側の凹部に嵌る円筒状突起部４６１、壁部３４５，３４３及び３４１の下端近傍部分により規定される下部の凹部に嵌る長方形の筒状の横断面の突起部４６２、並びに壁部３３６及び直線状ベース部材３２０の主板状部３２２により規定される三角形状のスペースないし間隙に嵌る三角筒状横断面の突起部４６３を有する。
【０１１５】
この端部キャップ４５０及びこれと鏡映対称な他端側端部キャップは、直線状パネル構造体３１１を所定位置において天井面２０１に取付けた後、該パネル構造体３１１の幅に適合するようにサイズ調整された状態で、直線状パネル構造体３１１の両端部に被せられて、直線状パネル構造体装置を形成し得る。端部キャップ４５０の下側壁部４５１は先端４５１ａで切欠かれており、端壁部４７０のうち先端４５１ａよりも上流側の細い部分は空調装置２００の外枠（化粧板等）と天井面との間に挿入可能である。直線状パネル構造体３１１のベース部材３２０の表面３２８に突起３２７ｅ（図６等の想像線）が形成される場合、切欠端４５１ａは典型的には突起部３２７ｅの下流側面に当接する。なお、端部キャップのところから直線状パネル構造体３１１の長手方向に沿う方向に流れ出す空気流を抑制するためには、所望ならば、壁部４５１〜４５６が、コーナーベース部材３７０の対応する壁部と同様に、端壁部４７０に近接する側ほど上流側に位置するように湾曲させておいてもよい。
【０１１６】
以上においては、天井パネル構造体３１０すなわち３１１や３１２が中央部に室内空気吸込口２１０を備え周縁部に空調空気の吹出口２１１を備えた天井埋込型空気調和装置２００の吹出口２１１の下流側において天井２０１に取付けられることを前提として説明した。しかしながら、以上のような天井パネル構造体３１０すなわち３１１や３１２等の特徴は、該天井パネル構造体３１０が天井埋込型空気調和装置２００の代わりに空調空気吹出口２１１のみを備えた（天井面２０１のところに空調空気吸込口を欠く）空調空気吹出装置の空調空気吹出口２１１の下流側において天井面に取付けられる（埋め込まれる）場合にも、吸込口２１０に空調空気の一部を戻す点を除き、全て有効であり、本発明の天井パネル構造体は、天井面の汚れ抑制のために、天井取付型ないし天井埋込型で天井面で吹出口が開口した空調空気吹出装置（吸込口がなく開口の実質上全体が吹出口になっている空調ダクト）にも適用され得る。このような空調空気吹出装置の典型としては、例えば、アネモとして知られる同心円状（同心環状）の複数の吹出口を備えたものがある。このような円形の外周を備えたものの場合、所望ならば、方形の天井パネル構造体の内縁と円形の空調空気吹出装置との間の天井面を蔽うように別の案内板などを付加してもよい。
【図面の簡単な説明】
【図１】空調装置の形状に応じて天井パネル構造体をとりつけることを示した説明図で、（ａ）は正方形状の空調装置の一例の底面（天井面に装着した状態を下から見た）説明図、（ｂ）は（ａ）の空調装置に用いられる本発明による好ましい一実施例の天井パネル構造体の底面説明図、（ｃ）は空調装置の平面（底面）形状に応じて天井パネル構造体の形状を調整することを示した説明図、（ｄ），（ｅ）及び（ｆ）は天井パネル構造体が適用される種々の形状やタイプの空調装置の例の底面説明図。
【図２】天井にある障害物ないし妨害部品に応じて天井パネル構造体の形状やサイズを調整することを示した底面説明図。
【図３】本発明による好ましい一実施例の天井パネル構造体を斜め下から見た斜視説明図。
【図４】本発明による好ましい一実施例の天井パネル構造体を示したもので、（ａ）は一部破断底面説明図、（ｂ）は（ａ）の矢印ＩＶＢ方向の側面説明図。
【図５】図４の天井パネル構造体で用いられる直線状パネル構造体を示したもので、（ａ）は底面説明図、（ｂ）は（ａ）のＶＢ−ＶＢ線断面説明図。
【図６】図５の直線状パネル構造体で用いられる直線状ベース部材の斜視説明図。
【図７】図６直線状ベース部材を示したもので、（ａ）は底面説明図、（ｂ）は（ａ）のＶＩＩＢ−ＶＩＩＢ線断面説明図、（ｃ）は幅方向外側の係合凹部の変形例の断面説明図、（ｄ）は傾斜面部の一部の変形例の断面説明図。
【図８】図５の直線状パネル構造体で用いられる直線状カバー部材の斜視説明図。
【図９】図８の直線状カバー部材を示したもので、（ａ）は底面説明図、（ｂ）は（ａ）のＩＸＢ−ＩＸＢ線断面説明図、（ｃ）は幅方向外側の被係合突起部の変形例の断面説明図。
【図１０】図４の天井パネル構造体で用いられるコーナーパネル構造体を示したもので、（ａ）は（ｂ）の矢印ＸＡ方向に見た側面説明図、（ｂ）は（ａ）の矢印ＸＢ方向に見た底面説明図。
【図１１】図１０のコーナーパネル構造体で用いられるコーナーベース部材及びコーナーカバー部材を示したもので、（ａ）はコ−ナーベース部材の斜視説明図、（ｂ）はコーナーカバー部材の斜視説明図。
【図１２】図１１のコーナーベース部材を示したもので、（ａ）は（ｂ）の矢印ＸＩＩＡ方向に見た側面説明図、（ｂ）は（ａ）の矢印ＸＩＩＢ方向に見た底面（表面）説明図、（ｃ）は（ｂ）の矢印ＸＩＩＣ方向にみた側面説明図。
【図１３】図１１のコーナーベース部材の上面（裏面）説明図。
【図１４】図１０のコーナーパネル構造体で用いられるコーナーカバー部材を示したもので、（ａ）は（ｂ）の矢印ＸＩＶＡ方向に見た側面説明図、（ｂ）は（ａ）の矢印ＸＩＶＢ方向に見た底面説明図、（ｃ）は被係合突起の変形例の説明図。
【図１５】図４の天井パネル構造体において、コーナーカバー部材の取付を説明するための、斜め下から見た、斜視説明図。
【図１６】図１１のコーナーベース部材を取付けた状態の底面説明図。
【図１７】直線状パネル構造体とコーナーパネル構造体とが重なった状態を示したもので、（ａ）は図１６のＸＶＩＩＡ−ＸＶＩＩＡ線断面説明図（但し、直線状パネル構造体３１１Ｄは示されていない）、（ｂ）は（ａ）の変形例についての（ａ）と同様な断面説明図。
【図１８】本発明による好ましい一実施例の天井パネル構造体による空調空気流の流れ調整状態を説明する模式的断面説明図。
【図１９】直線状パネル構造体を単独で用いる場合に、該直線状パネル構造体の端部に取付けて直線状パネル構造体装置を形成するための端部キャップを示したもので、（ａ）は平面（上面）説明図、（ｂ）は正面説明図、（ｃ）は底面説明図、（ｄ）は右側面説明図、（ｅ）は背面説明図、（ｆ）は左側面説明図。
【符号の説明】
２００  空気調和装置
２０１  天井面
２０２，２０２ａ  障害物（妨害部品）
２１０  室内空気吸込口
２１１  空調空気吹出口
３１０  天井パネル構造体
３１１，３１１Ｄ，３１１Ｌ，３１１Ｒ，３１１Ｕ  直線状パネル構造体
３１２，３１２ＬＤ，３１２ＬＵ，３１２ＲＤ，３１２ＲＵ  コーナーパネル構造体
３２０  直線状ベース部材
３２１  板状部
３２２  主板状部分
３２６  案内板状部分
３２７  溝（弱化部）
３３０，３３５  係合部
３３１，３３４  係合凹部
３３６，３３７  側壁
３３６ｂ，３３７ｂ  傾斜面
３５７，３６３  被係合部
３５７ｄ，３６１  被係合突起
３４０  直線状カバー部材
３４１ａ  案内部
３４７  転向案内部（転向誘導部）
３４９  抵抗付与突起部
３５１  湾曲案内部
３７０  コーナーベース部材
３９０  コーナーカバー部材
４５０  端部キャップ
Ｋ１，Ｋ２，Ｋ３  流れ方向
Ｌ１  長さ
Ｓ１，Ｓ２，Ｓ３  空気流
Ｗ１，Ｗ２，Ｗ３  幅
【図１】
0004557446.tif 000002
【図２】
0004557446.tif 000003
【図３】
0004557446.tif 000004
【図４】
0004557446.tif 000005
【図５】
0004557446.tif 000006
【図６】
0004557446.tif 000007
【図７】
0004557446.tif 000008
【図８】
0004557446.tif 000009
【図９】
0004557446.tif 000010
【図１０】
0004557446.tif 000011
【図１１】
0004557446.tif 000012
【図１２】
0004557446.tif 000013
【図１３】
0004557446.tif 000014
【図１４】
0004557446.tif 000015
【図１５】
0004557446.tif 000016
【図１６】
0004557446.tif 000017
【図１７】
0004557446.tif 000018
【図１８】
0004557446.tif 000019
【図１９】
0004557446.tif 000020